(57)【特許請求の範囲】
【請求項１】
ユーザ機器であって、
前記ユーザ機器がアイドルモードにある場合、2G／3G基地局候補セットを取得するように構成される取得ユニットであって、前記2G／3G基地局候補セットが2G／3G基地局に相当する規格及び周波数を備え、前記2G／3G基地局が2G／3Gネットワークに所属し、前記2G／3G基地局の信号強度が事前設定された閾値よりも大きい、取得ユニットと、
前記ユーザ機器がLTEネットワーク内で音声サービスを起動する場合、CSFB要求メッセージをLTE基地局へ送信するように構成される送信ユニットであって、前記LTE基地局が前記ユーザ機器に現在接続される基地局であり、前記LTE基地局が前記LTEネットワークに所属し、前記CSFB要求メッセージが、ターゲット2G／3G基地局の規格及び周波数を備える、送信ユニットと、
前記LTE基地局によって前記ユーザ機器へ送信される前記ターゲット2G／3G基地局の前記規格及び前記周波数を受信するように構成される受信ユニットと、
前記ターゲット2G／3G基地局の前記規格及び前記周波数に従って、前記2G／3G基地局候補セットが前記ターゲット2G／3G基地局を備えるかどうかを決定するように構成される決定ユニットと、
前記2G／3G基地局候補セットが前記ターゲット2G／3G基地局を備える場合、前記ターゲット2G／3G基地局の前記規格及び前記周波数に従って、前記LTE基地局から前記ターゲット2G／3G基地局へ切り替えるように構成される切替えユニットと
を備えるユーザ機器。
【請求項２】
前記取得ユニットが、
前記2G／3Gネットワーク内で前記受信された基地局の前記信号強度を検出し、前記2G／3G基地局の前記規格及び前記周波数を取得するように構成される第1の取得サブユニットであって、前記2G／3G基地局の前記信号強度が前記事前設定された閾値よりも大きい、第1の取得サブユニットと、
前記2G／3G基地局、並びに前記2G／3G基地局に相当する前記規格及び前記周波数に従って前記2G／3G基地局候補セットを受信するように構成される第2の取得サブユニットと
を備える、請求項1に記載のユーザ機器。
【請求項３】
前記第1の取得サブユニットが、前記2G／3G基地局の同報通信制御チャンネルを検出することによって、前記2G／3G基地局が前記同報通信制御チャンネルにロードする規格及び周波数を受信するように構成され、
前記第2の取得サブユニットが、前記2G／3G基地局並びに前記2G／3G基地局に相当する前記規格及び前記周波数に従って、前記2G／3G基地局候補セットを生成するように構成され、又は
前記第2の取得サブユニットが、
前記2G／3G基地局並びに前記2G／3G基地局に相当する前記規格及び前記周波数をサーバへ送信し、且つ
前記サーバによって送信される前記2G／3G基地局候補セットを受信するように構成される、請求項2に記載のユーザ機器。
【請求項４】
前記2G／3G基地局候補セットが前記ターゲット2G／3G基地局を備えない場合、前記送信ユニットが、再送要求メッセージを前記LTE基地局へ送信するように更に構成され、前記再送要求メッセージが、前記LTE基地局へ、前記2G／3G基地局候補セットが前記ターゲット2G／3G基地局を備えないことを表示するために使用され、
前記LTE基地局がターゲット2G／3G基地局を再決定し、且つ前記再決定されたターゲット2G／3G基地局の規格及び周波数を前記ユーザ機器へ送信する後、前記決定ユニットが、前記2G／3G基地局候補セットが前記再決定されたターゲット2G／3G基地局を備えるかどうかを決定し、且つ、前記2G／3G基地局候補セットが前記再決定されたターゲット2G／3G基地局を備えない場合、前記LTE基地局へ再送要求メッセージを送信する前記ステップを実施し続けるために前記送信ユニットをトリガするように更に構成される、請求項1から3のいずれか一項に記載のユーザ機器。
【請求項５】
前記取得ユニットが、前記2G／3G基地局候補セット内で信号強度の降順に、前記2G／3G基地局候補セット内の最大信号強度を含む2G／3G基地局を取得するように更に構成され、
前記切替えユニットが、前記2G／3G基地局の規格及び周波数に従って、前記ユーザ機器を前記2G／3G基地局へ切り替えるように更に構成され、
前記決定ユニットが、前記2G／3G基地局が前記ターゲット2G／3G基地局であるかどうかを決定するように更に構成され、前記2G／3G基地局が、前記ターゲット2G／3G基地局である場合、前記切替えユニットが、前記ターゲット2G／3G基地局へ接続し続け、又は
前記2G／3G基地局が、前記ターゲット2G／3G基地局でない場合、前記切替えユニットが、前記ターゲット2G／3G基地局から前記2G／3G基地局へ切り替えるように更に構成される、請求項1に記載のユーザ機器。
【請求項６】
前記音声サービスが起動される前に、前記受信ユニットが、前記LTE基地局によって送信されたシステムメッセージを受信するように更に構成され、前記システムメッセージが、前記ユーザ機器への接続の記録、並びに前記ユーザ機器の現在の位置でのすべての2G／3G基地局の規格及び周波数を備え、前記接続の記録が、前記ユーザ機器が接続したすべての2G／3G基地局の規格及び周波数を備え、
前記決定ユニットが、前記接続の記録が前記ユーザ機器の前記現在の位置での2G／3G基地局を備えるかどうかを決定するように更に構成され、
前記接続の記録が前記ユーザ機器の前記現在の位置での前記2G／3G基地局を備える場合、前記取得ユニットが、前記ユーザ機器が前記現在の位置で接続した2G／3G基地局が前記ターゲット2G／3G基地局であることを決定するように更に構成され、又は
前記接続の記録が前記ユーザ機器の前記現在の位置での前記2G／3G基地局を備えない場合、前記取得ユニットが、前記現在の位置ですべての前記2G／3G基地局の信号強度の降順に、すべての前記2G／3G基地局の中で最大信号強度を含む2G／3G基地局が、前記ターゲット2G／3G基地局であることを決定するように更に構成される、請求項1に記載のユーザ機器。
【請求項７】
前記決定ユニットが、前記ユーザ機器がアイドルモードにあるかどうかを決定するように更に構成され、
前記ユーザ機器がアイドルモードにない場合、前記送信ユニットが、モード切替え要求メッセージを2G／3G基地局へ送信するように更に構成され、前記2G／3G基地局が、前記ユーザ機器へ現在接続されている基地局であり、前記2G／3G基地局が前記2G／3Gネットワークに所属し、
前記受信ユニットが、前記2G／3G基地局によって送信されるモード切替え命令を受信するように更に構成され、
前記切替えユニットが、前記モード切替え命令に従って前記アイドルモードへ切り替えるように更に構成され、
前記取得ユニットが、LTE基地局候補セットを取得するように更に構成され、前記LTE基地局候補セットが、前記LTE基地局に相当する規格及び周波数を備え、前記LTE基地局が前記LTEネットワークに所属し、前記LTE基地局の信号強度が前記事前設定された閾値よりも大きく、
前記取得ユニットが、前記LTE基地局候補セットから、切り替えられるべきターゲットLTE基地局を取得するように更に構成され、
前記切替えユニットが、前記ターゲットLTE基地局の規格及び周波数に従って、前記2G／3G基地局から前記ターゲットLTE基地局へ切り替えるように更に構成される、請求項1に記載のユーザ機器。
【請求項８】
前記第1の取得サブユニットが、前記LTEネットワーク内で前記受信された基地局の前記信号強度を検出し、前記LTE基地局の前記規格及び前記周波数を取得するように更に構成され、前記LTE基地局の前記信号強度が前記事前設定された閾値よりも大きく、
前記第2の取得サブユニットが、前記LTE基地局、並びに前記LTE基地局に相当する前記規格及び前記周波数に従って、前記LTE基地局候補セットを受信するように更に構成され、
前記第1の取得サブユニットが、前記LTE基地局の同報通信制御チャンネルを検出することによって、前記LTE基地局が前記同報通信制御チャンネルにロードする規格及び周波数を受信するように特に構成され、
前記第2の取得サブユニットが、前記LTE基地局、並びに前記LTE基地局に相当する前記規格及び前記周波数に従って、前記LTE基地局候補セットを生成するように特に構成される、請求項7に記載のユーザ機器。
【請求項９】
ユーザ機器によって実施される、回線交換フォールバック切替え方法であって、
前記ユーザ機器がアイドルモードにある場合、2G／3G基地局候補セットを取得するステップであって、前記2G／3G基地局候補セットが2G／3G基地局に相当する規格及び周波数を備え、前記2G／3G基地局が2G／3Gネットワークに所属し、前記2G／3G基地局の信号強度が事前設定された閾値よりも大きい、取得するステップと、
前記ユーザ機器がLTEネットワーク内で音声サービスを起動する場合、CSFB要求メッセージをLTE基地局へ前記ユーザ機器によって送信するステップであって、前記LTE基地局が前記ユーザ機器に現在接続される基地局であり、前記LTE基地局が前記LTEネットワークに所属し、前記CSFB要求メッセージが、ターゲット2G／3G基地局の規格及び周波数を備える、送信するステップと、
前記LTE基地局によって前記ユーザ機器へ送信される前記ターゲット2G／3G基地局の前記規格及び前記周波数を受信するステップと、
前記ターゲット2G／3G基地局の前記規格及び前記周波数に従って、前記2G／3G基地局候補セットが前記ターゲット2G／3G基地局を備えるかどうかを決定するステップと、
前記2G／3G基地局候補セットが前記ターゲット2G／3G基地局を備える場合、前記ターゲット2G／3G基地局の前記規格及び前記周波数に従って、前記LTE基地局から前記ターゲット2G／3G基地局へ前記ユーザ機器によって切り替えるステップと
を含む、回線交換フォールバック切替え方法。
【請求項１０】
2G／3G基地局候補セットを前記取得するステップが、
前記2G／3Gネットワーク内で前記受信された基地局の前記信号強度を検出するステップ、並びに前記2G／3G基地局の前記規格及び前記周波数を取得するステップであって、前記2G／3G基地局の前記信号強度が前記事前設定された閾値よりも大きい、ステップと、
前記2G／3G基地局、並びに前記2G／3G基地局に相当する前記規格及び前記周波数に従って、前記2G／3G基地局候補セットを受信するステップと
を含む、請求項9に記載の方法。
【請求項１１】
前記2G／3G基地局の前記規格及び前記周波数を前記受信するステップが、
前記2G／3G基地局の同報通信制御チャンネルを検出することによって、前記2G／3G基地局が前記同報通信制御チャンネルにロードする規格及び周波数を受信するステップを含み、
前記2G／3G基地局候補セットを前記取得するステップが、
前記2G／3G基地局並びに前記2G／3G基地局に相当する前記規格及び前記周波数に従って、前記2G／3G基地局候補セットを生成するステップ、又は
前記2G／3G基地局、並びに前記2G／3G基地局に相当する前記規格及び前記周波数をサーバへ送信するステップ、及び
前記サーバによって送信される前記2G／3G基地局候補セットを受信するステップと
を含む、請求項10に記載の方法。
【請求項１２】
前記2G／3G基地局候補セットが前記ターゲット2G／3G基地局を備えない場合、再送要求メッセージを前記LTE基地局へ送信するステップであって、前記再送要求メッセージが、前記2G／3G基地局候補セットが前記ターゲット2G／3G基地局を備えないことを前記LTE基地局へ表示するために使用される、送信するステップと、
前記LTE基地局がターゲット2G／3G基地局を再決定し、且つ前記再決定されたターゲット2G／3G基地局の規格及び周波数を前記ユーザ機器へ送信する後、前記2G／3G基地局候補セットが前記再決定されたターゲット2G／3G基地局を備えるかどうかを決定するステップ、及び、前記2G／3G基地局候補セットが前記再決定されたターゲット2G／3G基地局を備えない場合、前記LTE基地局へ再送要求メッセージを送信する前記ステップを実施し続けるステップと
を更に含む、請求項9から11のいずれか一項に記載の方法。
【請求項１３】
前記ターゲット2G／3G基地局の前記規格及び前記周波数に従って、前記LTE基地局から前記ターゲット2G／3G基地局へ前記切り替えるステップの後、前記方法が、
前記2G／3G基地局候補セット内で信号強度の降順に、前記2G／3G基地局候補セット内の最大信号強度を含む2G／3G基地局を取得するステップと、
前記2G／3G基地局の規格及び周波数に従って、前記ユーザ機器を前記2G／3G基地局へ切り替えるステップと
を更に含み、
前記2G／3G基地局の規格及び周波数に従って、前記2G／3G基地局へ前記切り替えるステップが、
前記2G／3G基地局が前記ターゲット2G／3G基地局であるかどうかを決定するステップ、及び前記2G／3G基地局が前記ターゲット2G／3G基地局である場合、前記ターゲット2G／3G基地局へ接続し続けるステップ、又は  前記2G／3G基地局が前記ターゲット2G／3G基地局でない場合、前記ターゲット2G／3G基地局から前記2G／3G基地局へ切り替えるステップと
を含む、請求項9に記載の方法。
【請求項１４】
前記音声サービスが起動される前に、前記LTE基地局によって送信されたシステムメッセージを受信するステップであって、前記システムメッセージが、前記ユーザ機器への接続の記録、並びに前記ユーザ機器の現在の位置でのすべての2G／3G基地局の規格及び周波数を備え、前記接続の記録が、前記ユーザ機器が接続したすべての2G／3G基地局の規格及び周波数を備える、受信するステップと、
前記接続の記録が前記ユーザ機器の前記現在の位置での2G／3G基地局を備えるかどうかを決定するステップと、
前記接続の記録が前記ユーザ機器の前記現在の位置での前記2G／3G基地局を備える場合、前記ユーザ機器が前記現在の位置で接続した2G／3G基地局が前記ターゲット2G／3G基地局であることを決定するステップ、又は
前記接続の記録が前記ユーザ機器の前記現在の位置での前記2G／3G基地局を備えない場合、前記現在の位置ですべての前記2G／3G基地局の信号強度の降順に、すべての前記2G／3G基地局の中で最大信号強度を含む2G／3G基地局が、前記ターゲット2G／3G基地局であることを決定するステップと
を更に含む、請求項9に記載の方法。
【請求項１５】
前記ユーザ機器が、前記2G／3Gネットワーク内で音声サービスを終了する後、前記方法が、
前記ユーザ機器がアイドルモードにあるかどうかを決定するステップと、
前記ユーザ機器がアイドルモードにない場合、モード切替え要求メッセージを2G／3G基地局へ送信するステップであって、前記2G／3G基地局が、前記ユーザ機器へ現在接続されている基地局であり、前記2G／3G基地局が前記2G／3Gネットワークに所属する、送信するステップと、
前記2G／3G基地局によって送信されるモード切替え命令を受信するステップと、
前記モード切替え命令に従って前記アイドルモードへ切り替えるステップ、
又は、
前記ユーザ機器がアイドルモードにある場合、LTE基地局候補セットを取得するステップであって、前記LTE基地局候補セットが、前記LTE基地局に相当する規格及び周波数を備え、前記LTE基地局が前記LTEネットワークに所属し、前記LTE基地局の信号強度が前記事前設定された閾値よりも大きい、取得するステップと、
前記LTE基地局候補セットから切り替えられるべきターゲットLTE基地局を取得するステップ、及び前記ターゲットLTE基地局の規格及び周波数に従って、前記2G／3G基地局から前記ターゲットLTE基地局へ切り替えるステップと
を更に含む、請求項9に記載の方法。
【請求項１６】
LTE基地局候補セットを前記取得するステップが、
前記LTEネットワーク内で前記受信された基地局の前記信号強度を検出するステップ、及び前記LTE基地局の前記規格及び前記周波数を取得するステップであって、前記LTE基地局の前記信号強度が前記事前設定された閾値よりも大きい、取得するステップと、
前記LTE基地局、並びに前記LTE基地局に相当する前記規格及び前記周波数に従って、前記LTE基地局候補セットを受信するステップと
を含む、請求項15に記載の方法。
【請求項１７】
前記LTE基地局の前記規格及び前記周波数を前記受信するステップが、
前記LTE基地局の同報通信制御チャンネルを検出することによって、前記LTE基地局が前記同報通信制御チャンネルにロードする規格及び周波数を受信するステップを含み、
前記LTE基地局候補セットを前記取得するステップが、
前記LTE基地局、並びに前記LTE基地局に相当する前記規格及び前記周波数に従って、前記LTE基地局候補セットを生成するステップ、又は
前記LTE基地局、並びに前記LTE基地局に相当する前記規格及び前記周波数をサーバへ送信するステップ、及び
前記サーバによって送信される前記LTE基地局候補セットを受信するステップと
を含む、請求項16に記載の方法。
【請求項１８】
前記LTE基地局候補セットからターゲットLTE基地局を前記取得するステップが、
前記LTE基地局候補セット内の信号強度の降順に、前記LTE基地局候補セット内の最大信号強度を含むLTE基地局が前記ターゲットLTE基地局であることを決定するステップを含む、請求項16又は17に記載の方法。
【請求項１９】
ユーザ機器であって、
前記ユーザ機器が、伝送ユニットと、受信ユニットと、メモリと、前記伝送ユニット、前記受信ユニット及び前記メモリに別々に接続されるプロセッサとを備え、1組のプログラムコードが前記メモリの中に記憶され、前記プロセッサが前記メモリ内に記憶された前記プログラムコードを呼び出すように構成されて、以下の操作、
前記ユーザ機器がアイドルモードにある場合、2G／3G基地局候補セットを取得するステップであって、前記2G／3G基地局候補セットが2G／3G基地局に相当する規格及び周波数を備え、前記2G／3G基地局が2G／3Gネットワークに所属し、前記2G／3G基地局の信号強度が事前設定された閾値よりも大きい、取得するステップと、
前記ユーザ機器がLTEネットワーク内で音声サービスを起動する場合、CSFB要求メッセージをLTE基地局へ前記ユーザ機器によって送信するステップであって、前記LTE基地局が前記ユーザ機器に現在接続される基地局であり、前記LTE基地局が前記LTEネットワークに所属し、前記CSFB要求メッセージが、ターゲット2G／3G基地局の規格及び周波数を備える、送信するステップと、
前記LTE基地局によって前記ユーザ機器へ送信される前記ターゲット2G／3G基地局の前記規格及び前記周波数を受信するステップと、
前記ターゲット2G／3G基地局の前記規格及び前記周波数に従って、前記2G／3G基地局候補セットが前記ターゲット2G／3G基地局を備えるかどうかを決定するステップと、
前記2G／3G基地局候補セットが前記ターゲット2G／3G基地局を備える場合、前記ターゲット2G／3G基地局の前記規格及び前記周波数に従って、前記LTE基地局から前記ターゲット2G／3G基地局へ切り替えるステップと
を実施する、ユーザ機器。
【請求項２０】
前記プロセッサが、前記メモリ内に記憶された前記プログラムコードを呼び出すように構成されて、以下の操作、
前記2G／3Gネットワーク内で前記受信された基地局の前記信号強度を検出するステップ、及び前記2G／3G基地局の前記規格及び前記周波数を取得するステップであって、前記2G／3G基地局の前記信号強度が前記事前設定された閾値よりも大きい、取得するステップと、
前記2G／3G基地局、並びに前記2G／3G基地局に相当する前記規格及び前記周波数に従って、前記2G／3G基地局候補セットを受信するステップと
を更に実施する、請求項19に記載のユーザ機器。
【請求項２１】
前記プロセッサが、前記メモリ内に記憶された前記プログラムコードを呼び出すように構成されて、以下の操作、
前記2G／3G基地局候補セットが前記ターゲット2G／3G基地局を備えない場合、再送要求メッセージを前記LTE基地局へ送信するステップであって、前記再送要求メッセージが、前記2G／3G基地局候補セットが前記ターゲット2G／3G基地局を備えないことを前記LTE基地局へ表示するために使用される、送信するステップと、
前記LTE基地局がターゲット2G／3G基地局を再決定し、且つ前記再決定されたターゲット2G／3G基地局の規格及び周波数を前記ユーザ機器へ送信する後、前記2G／3G基地局候補セットが再決定されたターゲット2G／3G基地局を備えるかどうかを決定するステップ、及び、前記2G／3G基地局候補セットが前記再決定されたターゲット2G／3G基地局を備えない場合、前記LTE基地局へ再送要求メッセージを送信する前記ステップを実施し続けるステップと
を更に実施する、請求項19に記載のユーザ機器。
【請求項２２】
前記プロセッサが、前記メモリ内に記憶された前記プログラムコードを呼び出すように構成されて、以下の操作、
前記2G／3G基地局候補セット内で信号強度の降順に、前記2G／3G基地局候補セット内の最大信号強度を含む2G／3G基地局を取得するステップと、
前記2G／3G基地局の規格及び周波数に従って、前記ユーザ機器を前記2G／3G基地局へ切り替えるステップと
を更に実施する、請求項19に記載のユーザ機器。
【請求項２３】
前記プロセッサが、前記メモリ内に記憶された前記プログラムコードを呼び出すように構成されて、以下の操作、
前記2G／3G基地局が前記ターゲット2G／3G基地局であるかどうかを決定するステップ、及び前記2G／3G基地局が前記ターゲット2G／3G基地局である場合、前記ターゲット2G／3G基地局へ接続し続けるステップ、又は
前記2G／3G基地局が前記ターゲット2G／3G基地局でない場合、前記ターゲット2G／3G基地局から前記2G／3G基地局へ切り替えるステップと
を更に実施する、請求項22に記載のユーザ機器。
【請求項２４】
前記プロセッサが、前記メモリ内に記憶された前記プログラムコードを呼び出すように構成されて、以下の操作、
前記ユーザ機器がアイドルモードにあるかどうかを決定するステップと、
前記ユーザ機器がアイドルモードにない場合、モード切替え要求メッセージを2G／3G基地局へ送信するステップであって、前記2G／3G基地局が、前記ユーザ機器へ現在接続されている基地局であり、前記2G／3G基地局が前記2G／3Gネットワークに所属する、送信するステップと、
前記2G／3G基地局によって送信されるモード切替え命令を受信するステップと、
前記モード切替え命令に従って前記アイドルモードへ切り替えるステップ、
又は、
前記ユーザ機器がアイドルモードにある場合、LTE基地局候補セットを取得するステップであって、前記LTE基地局候補セットが、前記LTE基地局に相当する規格及び周波数を備え、前記LTE基地局が前記LTEネットワークに所属し、前記LTE基地局の信号強度が前記事前設定された閾値よりも大きい、取得するステップと、
前記LTE基地局候補セットから、切り替えられるべきターゲットLTE基地局を取得するステップ、及び前記ターゲットLTE基地局の規格及び周波数に従って、前記2G／3G基地局から前記ターゲットLTE基地局へ切り替えるステップと
を更に実施する、請求項19に記載のユーザ機器。
【請求項２５】
前記プロセッサが、前記メモリ内に記憶された前記プログラムコードを呼び出すように構成されて、以下の操作、
前記LTEネットワーク内で前記受信された基地局の前記信号強度を検出するステップ、及び前記LTE基地局の前記規格及び前記周波数を取得するステップであって、前記LTE基地局の前記信号強度が前記事前設定された閾値よりも大きい、取得するステップと、
前記LTE基地局、並びに前記LTE基地局に相当する前記規格及び前記周波数に従って、前記LTE基地局候補セットを受信するステップと
を更に実施する、請求項24に記載のユーザ機器。
【請求項２６】
前記プロセッサが、前記メモリ内に記憶された前記プログラムコードを呼び出すように構成されて、以下の操作、
前記LTE基地局候補セット内の信号強度の降順に、前記LTE基地局候補セット内の最大信号強度を含むLTE基地局が前記ターゲットLTE基地局であることを決定するステップを更に実施する、請求項25に記載のユーザ機器。
【発明の詳細な説明】
【技術分野】
【０００１】
本発明は、無線通信技術の分野に関し、特にユーザ機器及び回線交換フォールバック切替え方法に関する。
【背景技術】
【０００２】
従来技術の中で、LTE（Long Term Evolution、ロングタームエヴォリューション）ネットワークの音声通話の態様における欠陥を補うために、LTEネットワークと2G（2nd Generation Mobile Telecommunications）／3G（第3世代移動通信）ネットワークとの間の重なり合うカバレッジ範囲内で、LTEネットワークのユーザの音声サービスが、CSFB（Circuit Switched Fallback）技術を使用することによって、2G／3Gネットワークへ切り替えられて、音声通話の質を向上させる。
【０００３】
従来技術のCSFB切替え方法により、切替えプロセス中に、ユーザ機器は、音声サービスを起動する場合に、CSFB切替え要求メッセージをLTE基地局へ起動する必要があり、LTE基地局が、切替え要求メッセージに従って、ユーザ機器へターゲット2G／3G基地局の接続方法及び周波数を搬送し、ターゲット2G／3G基地局の接続方法及び周波数に従って、ターゲット2G／3G基地局を検出後、ユーザ機器は、ターゲット2G／3G基地局に接続し、その結果、LTEネットワークから2G／3G基地局へ音声サービスを切り替えることが許可される。音声サービスが終了する後、ユーザ機器がアイドルモードにある場合、ユーザ機器は、2G／3Gネットワークから以前のLTEネットワークへスイッチバックされる。
【０００４】
しかし、音声サービスがCSFB切替え方法を使用することによって切り替えられる場合、ある場合には、ユーザ機器がターゲット2G／3G基地局を検出できない時、ターゲット2G／3G基地局が検出されるまでユーザ機器は、繰り返して検出を実施し、次いでターゲット2G／3G基地局へ接続する。その結果として、音声サービスが起動される場合、相対的に長時間の遅延が発生する。他の場合には、ターゲット2G／3G基地局を検出できない時、音声サービスが中断される。両方の場合で、音声サービス切替えの信頼性が低下する。
【発明の概要】
【０００５】
従来技術の問題を解決するために、本発明の実施形態は、ユーザ機器及び回線交換フォールバック切替え方法を提供する。技術的解決策は以下のとおりである。
【課題を解決するための手段】
【０００６】
第1の態様により、ユーザ機器が提供され、ユーザ機器が、
ユーザ機器がアイドルモードにある場合、第2／第3世代移動電話通信技術仕様2G／3G基地局候補セットを取得するように構成される取得ユニットであって、2G／3G基地局候補セットが2G／3G基地局に相当する規格及び周波数を備え、2G／3G基地局が2G／3Gネットワークに所属し、2G／3G基地局の信号強度が事前設定された閾値よりも大きい、取得ユニットと、
ユーザ機器がロングタームエヴォリューションLTEネットワーク内で音声サービスを起動する場合、回線交換フォールバックCSFB要求メッセージをLTE基地局へユーザ機器によって送信するように構成される送信ユニットであって、LTE基地局がユーザ機器に現在接続される基地局であり、LTE基地局がLTEネットワークに所属し、CSFB要求メッセージが、ターゲット2G／3G基地局の規格及び周波数を備える、送信ユニットと、
LTE基地局によってユーザ機器へ送信されるターゲット2G／3G基地局の規格及び周波数を受信するように構成される受信ユニットと、
ターゲット2G／3G基地局の規格及び周波数に従って、2G／3G基地局候補セットがターゲット2G／3G基地局を備えるかどうかを決定するように構成される決定ユニットと、
2G／3G基地局候補セットがターゲット2G／3G基地局を備える場合、ターゲット2G／3G基地局の規格及び周波数に従って、LTE基地局からターゲット2G／3G基地局へ切り替えるように構成される切替えユニットと
を備える。
【０００７】
第1の態様に関連して、第1の可能な実施方法では、取得ユニットが、
2G／3Gネットワーク内で受信された基地局の信号強度を検出し、2G／3G基地局の規格及び周波数を取得するように構成される第1の取得サブユニットであって、2G／3G基地局の信号強度が事前設定された閾値よりも大きい、第1の取得サブユニットと、
2G／3G基地局、並びに2G／3G基地局に相当する規格及び周波数に従って2G／3G基地局候補セットを受信するように構成される第2の取得サブユニットと
を備える。
【０００８】
第1の態様の第1の可能な実施方法に関連して、第2の可能な実施方法では、
第1の取得サブユニットが、2G／3G基地局の同報通信制御チャンネルを検出することによって、2G／3G基地局が同報通信制御チャンネルにロードする規格及び周波数をユーザ機器によって受信するように特に構成され、
第2の取得サブユニットが、2G／3G基地局、並びに2G／3G基地局に相当する規格及び周波数に従って、2G／3G基地局候補セットを生成するように特に構成され、又は
第2の取得サブユニットが、
2G／3G基地局並びに2G／3G基地局に相当する規格及び周波数をサーバへ送信し、且つ
サーバによって送信される2G／3G基地局候補セットを受信するように特に構成される。
【０００９】
第1の態様の第2の可能な実施方法に対する第1の態様のいずれか1つに関連して、第3の可能な実施方法では、
2G／3G基地局候補セットがターゲット2G／3G基地局を備えない場合、送信ユニットが、再送要求メッセージをLTE基地局へ送信するように更に構成され、再送要求メッセージが、LTE基地局へ、2G／3G基地局候補セットがターゲット2G／3G基地局を備えないことを表示するために使用され、
LTE基地局がターゲット2G／3G基地局を再決定し、且つ再決定されたターゲット2G／3G基地局の規格及び周波数をユーザ機器へ送信する後、決定ユニットが、2G／3G基地局候補セットが再決定されたターゲット2G／3G基地局を備えるかどうかを決定し、且つ2G／3G基地局候補セットが再決定されたターゲット2G／3G基地局を備えない場合、LTE基地局へ再送要求メッセージを送信するステップを実施し続けるために送信ユニットをトリガするように更に構成される。
【００１０】
第1の態様に関連して、第4の可能な実施方法では、
取得ユニットが、2G／3G基地局候補セット内で信号強度の降順に、2G／3G基地局候補セット内の最大信号強度を含む2G／3G基地局を取得するように更に構成され、
切替えユニットが、2G／3G基地局の規格及び周波数に従って、ユーザ機器を2G／3G基地局へ切り替えるように更に構成される。
【００１１】
第1の態様の第4の可能な実施方法に関連して、第5の可能な実施方法では、
決定ユニットが、2G／3G基地局がターゲット2G／3G基地局であるかどうかを決定するように更に構成され、2G／3G基地局が、ターゲット2G／3G基地局である場合、切替えユニットが、ターゲット2G／3G基地局へ接続し続け、又は
2G／3G基地局が、ターゲット2G／3G基地局でない場合、切替えユニットが、ターゲット2G／3G基地局から2G／3G基地局へ切り替えるように更に構成される。
【００１２】
第1の態様に関連して、第6の可能な実施方法では、
音声サービスが起動される前に、受信ユニットが、LTE基地局によって送信されたシステムメッセージを受信するように更に構成され、システムメッセージが、ユーザ機器への接続の記録、並びにユーザ機器の現在の位置でのすべての2G／3G基地局の規格及び周波数を備え、接続の記録が、ユーザ機器が接続したすべての2G／3G基地局の規格及び周波数を備え、
決定ユニットが、接続の記録がユーザ機器の現在の位置での2G／3G基地局を備えるかどうかをユーザ機器によって決定するように更に構成され、
接続の記録がユーザ機器の現在の位置での2G／3G基地局を備える場合、取得ユニットが、ユーザ機器が現在の位置で接続した2G／3G基地局がターゲット2G／3G基地局であることを決定するように更に構成され、又は
接続の記録がユーザ機器の現在の位置での2G／3G基地局を備えない場合、取得ユニットが、現在の位置ですべての2G／3G基地局の信号強度の降順に、すべての2G／3G基地局の中で最大信号強度を含む2G／3G基地局が、2G／3G基地局であることを決定するように更に構成される。
【００１３】
第1の態様に関連して、第7の可能な実施方法では、
決定ユニットが、ユーザ機器がアイドルモードにあるかどうかを決定するように更に構成され、
ユーザ機器がアイドルモードにない場合、送信ユニットが、モード切替え要求メッセージを2G／3G基地局へ送信するように更に構成され、2G／3G基地局が、ユーザ機器へ現在接続されている基地局であり、2G／3G基地局が2G／3Gネットワークに所属し、
受信ユニットが、2G／3G基地局によって送信されるモード切替え命令を受信するように更に構成され、
切替えユニットが、モード切替え命令に従ってアイドルモードへ切り替えるように更に構成され、
取得ユニットが、LTE基地局候補セットを取得するように更に構成され、LTE基地局候補セットが、LTE基地局に相当する規格及び周波数を備え、LTE基地局がLTEネットワークに所属し、LTE基地局の信号強度が事前設定された閾値よりも大きく、
取得ユニットが、LTE基地局候補セットから、切り替えられるべきターゲットLTE基地局を取得するように更に構成され、
切替えユニットが、ターゲットLTE基地局の規格及び周波数に従って、2G／3G基地局からターゲットLTE基地局へ切り替えるように更に構成される。
【００１４】
第1の態様の第7の可能な実施方法に関連して、第8の可能な実施方法では、
第1の取得サブユニットが、LTEネットワーク内で受信された基地局の信号強度を検出し、LTE基地局の規格及び周波数を取得するように更に構成され、LTE基地局の信号強度が事前設定された閾値よりも大きく、
第2の取得サブユニットが、LTE基地局に従ってLTE基地局候補セット、並びにLTE基地局に相当する規格及び周波数を受信するように更に構成される。
【００１５】
第1の態様の第8の可能な実施方法に関連して、第9の可能な実施方法では、
第1の取得サブユニットが、LTE基地局の同報通信制御チャンネルを検出することによって、LTE基地局が同報通信制御チャンネルにロードする規格及び周波数を受信するように特に構成され、
第2の取得サブユニットが、LTE基地局、並びにLTE基地局に相当する規格及び周波数に従って、LTE基地局候補セットを生成するように特に構成され、又は
第2の取得サブユニットが、
LTE基地局及びLTE基地局に相当する規格及び周波数をサーバへ送信し、且つ
サーバによって送信される2G／3G基地局候補セットを受信するように特に構成される。
【００１６】
第1の態様の第8又は第9の可能な実施方法に関連して、第10の可能な実施方法では、
第3の取得サブユニットが、LTE基地局候補セット内の信号強度の降順に、LTE基地局候補セット内の最大信号強度を含むLTE基地局がターゲットLTE基地局であることを決定するように更に構成される。
【００１７】
第2の態様により、回線交換フォールバック切替え方法が提供され、その方法が、
ユーザ機器がアイドルモードにある場合、第2／第3世代移動電話通信技術仕様2G／3G基地局候補セットを取得するステップであって、2G／3G基地局候補セットが2G／3G基地局に相当する規格及び周波数を備え、2G／3G基地局が2G／3Gネットワークに所属し、2G／3G基地局の信号強度が事前設定された閾値よりも大きい、取得するステップと、
ユーザ機器がロングタームエヴォリューションLTEネットワーク内で音声サービスを起動する場合、回線交換フォールバックCSFB要求メッセージをLTE基地局へユーザ機器によって送信するステップであって、LTE基地局がユーザ機器に現在接続される基地局であり、LTE基地局がLTEネットワークに所属し、CSFB要求メッセージが、ターゲット2G／3G基地局のターゲット2G／3G規格及び周波数を備える、送信するステップと、
LTE基地局によってユーザ機器へ送信されるターゲット2G／3G基地局の規格及び周波数をユーザ機器によって受信するステップと、
ターゲット2G／3G基地局の規格及び周波数に従って、2G／3G基地局候補セットがターゲット2G／3G基地局を備えるかどうかをユーザ機器によって決定するステップと、
2G／3G基地局候補セットがターゲット2G／3G基地局を備える場合、ターゲット2G／3G基地局の規格及び周波数に従って、LTE基地局からターゲット2G／3G基地局へユーザ機器によって切り替えるステップと
を含む。
【００１８】
第2の態様に関連して、第1の可能な実施方法では、
2G／3G基地局候補セットをユーザ機器によって取得するステップが、
2G／3Gネットワーク内で受信された基地局の信号強度をユーザ機器によって検出するステップ、及び2G／3G基地局の規格及び周波数を取得するステップであって、2G／3G基地局の信号強度が事前設定された閾値よりも大きい、取得するステップと、
2G／3G基地局、並びに2G／3G基地局に相当する規格及び周波数に従って、2G／3G基地局候補セットをユーザ機器によって受信するステップと
を含む。
【００１９】
第2の態様の第1の可能な実施方法に関連して、第2の可能な実施方法では、
2G／3G基地局の規格及び周波数を受信するステップが、
2G／3G基地局の同報通信制御チャンネルを検出することによって、2G／3G基地局が同報通信制御チャンネルにロードする規格及び周波数をユーザ機器によって受信するステップを含み、
2G／3G基地局候補セットを取得するステップが、
2G／3G基地局、並びに2G／3G基地局に相当する規格及び周波数に従って、2G／3G基地局候補セットをユーザ機器によって生成するステップ、又は
2G／3G基地局、並びに2G／3G基地局に相当する規格及び周波数をサーバへユーザ機器によって送信するステップ、及び
サーバによって送信される2G／3G基地局候補セットをユーザ機器によって受信するステップと
を含む。
【００２０】
第3の態様の第2の可能な実施方法に対する第2の態様のいずれか1つに関連して、第3の可能な実施方法では、方法が、
2G／3G基地局候補セットがターゲット2G／3G基地局を備えない場合、再送要求メッセージをLTE基地局へユーザ機器によって送信するステップであって、再送要求メッセージが、2G／3G基地局候補セットがターゲット2G／3G基地局を備えないことをLTE基地局へ表示するために使用される、送信するステップと、
LTE基地局がターゲット2G／3G基地局を再決定し、且つ再決定されたターゲット2G／3G基地局の規格及び周波数をユーザ機器へ送信する後、2G／3G基地局候補セットが再決定されたターゲット2G／3G基地局を備えるかどうかをユーザ機器によって決定するステップ、及び、2G／3G基地局候補セットが再決定されたターゲット2G／3G基地局を備えない場合、LTE基地局へ再送要求メッセージを送信するステップをユーザ機器によって実施し続けるステップと
を更に含む。
【００２１】
第2の態様に関連して、第4の可能な実施方法では、ターゲット2G／3G基地局の規格及び周波数に従って、LTE基地局からターゲット2G／3G基地局へユーザ機器によって切り替えるステップの後、方法が、
2G／3G基地局候補セット内で信号強度の降順に、2G／3G基地局候補セット内の最大信号強度を含む2G／3G基地局をユーザ機器によって取得するステップと、
2G／3G基地局の規格及び周波数に従って、ユーザ機器を2G／3G基地局へユーザ機器によって切り替えるステップと
を更に含む。
【００２２】
第2の態様の第4の可能な実施方法に関連して、第5の可能な実施方法では、2G／3G基地局の規格及び周波数に従って、2G／3G基地局へユーザ機器をユーザ機器によって切り替えるステップが、
2G／3G基地局がターゲット2G／3G基地局であるかどうかをユーザ機器によって決定するステップ、及び2G／3G基地局がターゲット2G／3G基地局である場合、ターゲット2G／3G基地局へユーザ機器によって接続し続けるステップ、又は
2G／3G基地局がターゲット2G／3G基地局でない場合、ターゲット2G／3G基地局から2G／3G基地局へユーザ機器によって切り替えるステップと
を含む。
【００２３】
第2の態様に関連して、第6の可能な実施方法では、
音声サービスを起動する前に、LTE基地局によって送信されたシステムメッセージをユーザ機器によって受信するステップであって、システムメッセージが、ユーザ機器への接続の記録、並びにユーザ機器の現在の位置でのすべての2G／3G基地局の規格及び周波数を備え、接続の記録が、ユーザ機器が接続したすべての2G／3G基地局の規格及び周波数を備える、受信するステップと、
接続の記録がユーザ機器の現在の位置での2G／3G基地局を備えるかどうかをユーザ機器によって決定するステップと、
接続の記録がユーザ機器の現在の位置での2G／3G基地局を備える場合、ユーザ機器が現在の位置で接続した2G／3G基地局がターゲット2G／3G基地局であることをユーザ機器によって決定するステップ、又は
接続の記録がユーザ機器の現在の位置での2G／3G基地局を備えない場合、現在の位置ですべての2G／3G基地局の信号強度の降順に、すべての2G／3G基地局の中で最大信号強度を含む2G／3G基地局が、ターゲット2G／3G基地局であることをユーザ機器によって決定するステップと
を含む。
【００２４】
第2の態様に関連して、第7の可能な実施方法では、ユーザ機器が、2G／3Gネットワーク内で音声サービスを終了する後、方法が、
ユーザ機器がアイドルモードにあるかどうかをユーザ機器によって決定するステップと、
ユーザ機器がアイドルモードにない場合、モード切替え要求メッセージを2G／3G基地局へユーザ機器によって送信するステップであって、2G／3G基地局が、ユーザ機器へ現在接続されている基地局であり、2G／3G基地局が2G／3Gネットワークに所属する、送信するステップと、
2G／3G基地局によって送信されるモード切替え命令をユーザ機器によって受信するステップと、
モード切替え命令に従ってアイドルモードへユーザ機器によって切り替えるステップ、
又は、
ユーザ機器がアイドルモードにある場合、LTE基地局候補セットを取得するステップであって、LTE基地局候補セットが、LTE基地局に相当する規格及び周波数を備え、LTE基地局がLTEネットワークに所属し、LTE基地局の信号強度が事前設定された閾値よりも大きい、取得するステップと、
LTE基地局候補セットから、切り替えられるべきターゲットLTE基地局をユーザ機器によって取得するステップと、
ターゲットLTE基地局の規格及び周波数に従って、2G／3G基地局からターゲットLTE基地局へ切り替えるステップと
を更に含む。
【００２５】
第2の態様の第7の可能な実施方法に関連して、第8の可能な実施方法では、LTE基地局候補セットをユーザ機器によって取得するステップが、
LTEネットワーク内で受信された基地局の信号強度をユーザ機器によって検出するステップ、及びLTE基地局の規格及び周波数を取得するステップであって、LTE基地局の信号強度が事前設定された閾値よりも大きい、取得するステップと、
LTE基地局、並びにLTE基地局に相当する規格及び周波数に従って、LTE基地局候補セットをユーザ機器によって受信するステップと
を含む。
【００２６】
第2の態様の第8の可能な実施方法に関連して、第9の可能な実施方法では、
LTE基地局の規格及び周波数を受信するステップが、
LTE基地局の同報通信制御チャンネルを検出することによって、LTE基地局が同報通信制御チャンネルにロードする規格及び周波数をユーザ機器によって受信するステップを含み、
LTE基地局候補セットを取得するステップが、
LTE基地局、並びにLTE基地局に相当する規格及び周波数に従って、LTE基地局候補セットをユーザ機器によって生成するステップ、又は
LTE基地局、並びにLTE基地局に相当する規格及び周波数をサーバへユーザ機器によって送信するステップ、及び
サーバによって送信されるLTE基地局候補セットをユーザ機器によって受信するステップと
を含む。
【００２７】
第2の態様の第8又は第9の可能な実施方法に関連して、第10の可能な実施方法では、
LTE基地局候補セットからターゲットLTE基地局を取得するステップが、
LTE基地局候補セット内の信号強度の降順に、LTE基地局候補セット内の最大信号強度を含むLTE基地局がターゲットLTE基地局であることをユーザ機器によって決定するステップを含む。
【００２８】
第3の態様により、ユーザ機器が提供され、
ユーザ機器が、伝送ユニットと、受信ユニットと、メモリと、伝送ユニット、受信ユニット及びメモリに別々に接続されるプロセッサとを備え、1組のプログラムコードがメモリの中に記憶され、プロセッサがメモリ内に記憶されたプログラムコードを呼び出すように構成されて、以下の操作、
ユーザ機器がアイドルモードにある場合、第2／第3世代移動電話通信技術仕様2G／3G基地局候補セットを取得するステップであって、2G／3G基地局候補セットが2G／3G基地局に相当する規格及び周波数を備え、2G／3G基地局が2G／3Gネットワークに所属し、2G／3G基地局の信号強度が事前設定された閾値よりも大きい、取得するステップと、
ユーザ機器がLTEネットワーク内で音声サービスを起動する場合、回線交換フォールバックCSFB要求メッセージをロングタームエヴォリューションLTE基地局へユーザ機器によって送信するステップであって、LTE基地局がユーザ機器に現在接続される基地局であり、LTE基地局がLTEネットワークに所属し、CSFB要求メッセージが、ターゲット2G／3G基地局の規格及び周波数を備える、送信するステップと、
LTE基地局によってユーザ機器へ送信されるターゲット2G／3G基地局の規格及び周波数をユーザ機器によって受信するステップと、
ターゲット2G／3G基地局の規格及び周波数に従って、2G／3G基地局候補セットがターゲット2G／3G基地局を備えるかどうかをユーザ機器によって決定するステップと、
2G／3G基地局候補セットがターゲット2G／3G基地局を備える場合、ターゲット2G／3G基地局の規格及び周波数に従って、LTE基地局からターゲット2G／3G基地局へユーザ機器によって切り替えるステップと
を実施する。
【００２９】
第3の態様に関連して、第1の可能な実施方法では、プロセッサが、メモリ内に記憶されたプログラムコードを呼び出すように構成されて、以下の操作、
2G／3Gネットワーク内で受信された基地局の信号強度をユーザ機器によって検出するステップ、及び2G／3G基地局の規格及び周波数を取得するステップであって、2G／3G基地局の信号強度が事前設定された閾値よりも大きい、取得するステップと、
2G／3G基地局、並びに2G／3G基地局に相当する規格及び周波数に従って、2G／3G基地局候補セットをユーザ機器によって受信するステップと
を更に実施する。
【００３０】
第3の態様に関連して、第2の可能な実施方法では、プロセッサが、メモリ内に記憶されたプログラムコードを呼び出すように構成されて、以下の操作、
2G／3G基地局候補セットがターゲット2G／3G基地局を備えない場合、再送要求メッセージをLTE基地局へユーザ機器によって送信するステップであって、再送要求メッセージが、2G／3G基地局候補セットがターゲット2G／3G基地局を備えないことをLTE基地局へ表示するために使用される、送信するステップと、
LTE基地局がターゲット2G／3G基地局を再決定し、且つ再決定されたターゲット2G／3G基地局の規格及び周波数をユーザ機器へ送信する後、2G／3G基地局候補セットが再決定されたターゲット2G／3G基地局を備えるかどうかをユーザ機器によって決定するステップ、及び、2G／3G基地局候補セットが再決定されたターゲット2G／3G基地局を備えない場合、LTE基地局へ再送要求メッセージを送信するステップをユーザ機器によって実施し続けるステップと
を更に実施する。
【００３１】
第3の態様に関連して、第3の可能な実施方法では、プロセッサが、メモリ内に記憶されたプログラムコードを呼び出すように構成されて、以下の操作、
2G／3G基地局候補セット内で信号強度の降順に、2G／3G基地局候補セット内の最大信号強度を含む2G／3G基地局をユーザ機器によって取得するステップと、
2G／3G基地局の規格及び周波数に従って、ユーザ機器を2G／3G基地局へユーザ機器によって切り替えるステップと
を更に実施する。
【００３２】
第3の態様の第3の可能な実施方法に関連して、第4の可能な実施方法では、プロセッサが、メモリ内に記憶されたプログラムコードを呼び出すように構成されて、以下の操作、
2G／3G基地局がターゲット2G／3G基地局であるかどうかをユーザ機器によって決定するステップ、及び2G／3G基地局がターゲット2G／3G基地局である場合、ターゲット2G／3G基地局へユーザ機器によって接続し続けるステップ、又は
2G／3G基地局がターゲット2G／3G基地局でない場合、ターゲット2G／3G基地局から2G／3G基地局へユーザ機器によって切り替えるステップと
を更に実施する。
【００３３】
第3の態様に関連して、第5の可能な実施方法では、プロセッサが、メモリ内に記憶されたプログラムコードを呼び出すように構成されて、以下の操作、
ユーザ機器がアイドルモードにあるかどうかをユーザ機器によって決定するステップと、
ユーザ機器がアイドルモードにない場合、モード切替え要求メッセージを2G／3G基地局へユーザ機器によって送信するステップであって、2G／3G基地局が、ユーザ機器へ現在接続されている基地局であり、2G／3G基地局が2G／3Gネットワークに所属する、送信するステップと、
2G／3G基地局によって送信されるモード切替え命令をユーザ機器によって受信するステップと、
モード切替え命令に従ってアイドルモードへユーザ機器によって切り替えるステップ、
又は、
ユーザ機器がアイドルモードにある場合、LTE基地局候補セットを取得するステップであって、LTE基地局候補セットが、LTE基地局に相当する規格及び周波数を備え、LTE基地局がLTEネットワークに所属し、LTE基地局の信号強度が事前設定された閾値よりも大きい、取得するステップと、
LTE基地局候補セットから、切り替えられるべきターゲットLTE基地局をユーザ機器によって取得するステップと、
ターゲットLTE基地局の規格及び周波数に従って、2G／3G基地局からターゲットLTE基地局へ切り替えるステップと
を更に実施する。
【００３４】
第3の態様の第5の可能な実施方法に関連して、第6の可能な実施方法では、プロセッサが、メモリ内に記憶されたプログラムコードを呼び出すように構成されて、以下の操作、
LTEネットワーク内で受信された基地局の信号強度をユーザ機器によって検出するステップ、及びLTE基地局の規格及び周波数を取得するステップであって、LTE基地局の信号強度が事前設定された閾値よりも大きい、取得するステップと、
LTE基地局、並びにLTE基地局に相当する規格及び周波数に従って、LTE基地局候補セットをユーザ機器によって受信するステップと
を更に実施する。
【００３５】
第3の態様の第6の可能な実施方法に関連して、第7の可能な実施方法では、プロセッサが、メモリ内に記憶されたプログラムコードを呼び出すように構成されて、以下の操作、
LTE基地局候補セット内の信号強度の降順に、LTE基地局候補セット内の最大信号強度を含むLTE基地局がターゲットLTE基地局であることをユーザ機器によって決定するステップを更に実施する。
【００３６】
本発明の実施形態は、ユーザ機器及び回線交換フォールバック切替え方法を提供する。ユーザ機器がアイドルモードにある場合、2G／3G基地局候補セットが取得され、音声サービスを起動する場合、ユーザ機器が、CSFB要求メッセージをLTE基地局へ送信し、ユーザ機器が、LTE基地局によってユーザ機器へ送信されるターゲット2G／3G基地局の規格及び周波数を受信し、ユーザ機器が、ターゲット2G／3G基地局の規格及び周波数に従って、2G／3G基地局候補セットがターゲット2G／3G基地局を備えるかどうかを決定し、2G／3G基地局候補セットがターゲット2G／3G基地局を備える場合、ユーザ機器が、ターゲット2G／3G基地局の規格及び周波数に従って、LTE基地局からターゲット2G／3G基地局へ切り替える。ユーザが切り替えるべきターゲット2G／3G基地局が、事前に取得された2G／3G基地局候補セット内の基地局であることが決定されて、その結果、ターゲット2G／3G基地局の検出が繰り返されることが回避され、音声サービスが起動される場合の遅延が低減され、音声サービスの信頼性が改善される。
【００３７】
本発明の実施形態における技術的解決策をより明確に説明するために、以下で、実施形態を説明するために必要な添付の図面について簡潔に説明する。明らかに、以下の説明の中で添付の図面は本発明のいくつかの実施形態を示すに過ぎず、当業者はこれら添付の図面から難なく他の図面を更に導出することができる。
【図面の簡単な説明】
【００３８】
【図１】本発明の実施形態による回線交換フォールバック切替え方法の流れ図である。
【図２】本発明の実施形態による回線交換フォールバック切替え方法の流れ図である。
【図３】本発明の実施形態によるネットワークシナリオの概略流れ図である。
【図４Ａ】本発明の実施形態による回線交換フォールバック切替え方法の流れ図である。
【図４Ｂ】本発明の実施形態による回線交換フォールバック切替え方法の流れ図である。
【図５】本発明の実施形態による信号メッセージ交換の概略図である。
【図６】本発明の実施形態による回線交換フォールバック切替え方法の流れ図である。
【図７】本発明の実施形態によるユーザ機器の概略構造図である。
【図８】本発明の実施形態によるユーザ機器の概略構造図である。
【発明を実施するための形態】
【００３９】
本発明の目的、技術的解決策及び利点をより明確にするために、以下に、添付の図面を参照して、本発明の実施形態の中の技術的解決策を詳細に更に説明する。
【００４０】
実施形態1は、本発明の実施形態の中で提供される回線交換フォールバック切替え方法である。音声サービスが起動される場合、方法が適用される。ユーザ機器が音声サービスを起動する場合、ユーザ機器は、発呼者であることができ、又は被呼者であることができ、アイドルモードは、ユーザ機器がネットワーク側へRRC（Radio Resource Control、無線リソース制御）接続を確立していない場合のモードである。図1に示されるように、方法は以下を含む。
【００４１】
101：ユーザ機器がアイドルモードにある場合、2G／3G基地局候補セットを取得し、2G／3G基地局候補セットが2G／3G基地局に相当する規格及び周波数を備え、2G／3G基地局が2G／3Gネットワークに所属し、2G／3G基地局の信号強度が事前設定された閾値よりも大きい。
【００４２】
102：ユーザ機器がLTEネットワーク内で音声サービスを起動する場合、ユーザ機器が、回線交換フォールバックCSFB要求メッセージをロングタームエヴォリューションLTE基地局へ送信し、LTE基地局がユーザ機器に現在接続される基地局であり、LTE基地局がLTEネットワークに所属し、CSFB要求メッセージが、ターゲット2G／3G基地局の規格及び周波数を備える。
【００４３】
103：ユーザ機器が、LTE基地局によってユーザ機器へ送信されるターゲット2G／3G基地局の規格及び周波数を受信する。
【００４４】
104：ユーザ機器が、ターゲット2G／3G基地局の規格及び周波数に従って、2G／3G基地局候補セットがターゲット2G／3G基地局を備えるかどうかを決定する。
【００４５】
105：2G／3G基地局候補セットがターゲット2G／3G基地局を備える場合、ユーザ機器が、ターゲット2G／3G基地局の規格及び周波数に従って、LTE基地局からターゲット2G／3G基地局へ切り替える。
【００４６】
本発明のこの実施形態が、切替え方法を提供する。ユーザが切り替えるべきターゲット2G／3G基地局が、事前に取得された2G／3G基地局候補セット内の基地局であることが決定されて、その結果、ターゲット2G／3G基地局の検出が繰り返されることが回避され、音声サービスが起動される場合の遅延が低減され、音声サービスの信頼性が改善される。
【００４７】
実施形態2は、本発明の実施形態の中で提供される別の回線交換フォールバック切替え方法である。ユーザ機器が、2G／3Gネットワーク内で音声サービスを終了する後、方法が適用され、アイドルモードは、ユーザ機器がネットワーク側へRRC接続を確立していない場合のモードである。図2に示されるように、方法は以下を含む。
【００４８】
201：ユーザ機器がアイドルモードにあるかどうかをユーザ機器が決定する。
【００４９】
202：ユーザ機器がアイドルモードにない場合、ユーザ機器が、モード切替え要求メッセージを2G／3G基地局へ送信し、2G／3G基地局が、ユーザ機器へ現在接続されている基地局であり、2G／3G基地局が2G／3Gネットワークに所属する。
【００５０】
203：ユーザ機器が、2G／3G基地局によって送信されるモード切替え命令を受信する。
【００５１】
204：ユーザ機器が、モード切替え命令に従ってアイドルモードへ切り替える。
【００５２】
205：ユーザ機器がアイドルモードにある場合、LTE基地局候補セットを取得し、LTE基地局候補セットがLTE基地局に相当する規格及び周波数を備え、LTE基地局がLTEネットワークに所属し、LTE基地局の信号強度が事前設定された閾値よりも大きい。
【００５３】
206：ユーザ機器が、LTE基地局候補セットから、切り替えられるべきターゲットLTE基地局を取得し、ターゲットLTE基地局の規格及び周波数に従って、2G／3G基地局からターゲットLTE基地局へ切り替える。
【００５４】
本発明のこの実施形態が、回線交換フォールバック切替え方法を提供する。音声サービスを終了する後、アイドルモードにないユーザ機器が、モード切替え命令をネットワーク側へ送信し、ネットワーク側が、ユーザ機器にアイドルモードへ切り替えるように命令し、その結果、ユーザ機器が、2G／3Gネットワークから以前に接続されたLTEネットワークへスイッチバックすることができる。
【００５５】
実施形態3は、本発明の実施形態の中で提供される回線交換フォールバック切替え方法である。ユーザ機器がLTEネットワーク内で音声サービスを起動する場合、切替え方法がネットワークシナリオへ適用される。この場合、ユーザ機器は音声サービスを開始しない。図3を参照すると、ネットワークシナリオでは、ユーザ機器は、2G／3GネットワークとLTEネットワークとの間の重なり合うカバレッジの範囲内に配置される。ユーザ機器は、現在LTEネットワークに接続され、2G／3Gネットワークの規格が、EHRPD（Evolved High Rate Packet Data）、WCDMA（登録商標）（Wideband Code Division Multiple Access）、又はGSM（登録商標）（Global System for Mobile Communication）であることができ、基地局Aが、2G／3Gネットワークに所属する基地局であり、基地局Bが、LTEネットワークの基地局であり、ネットワークシナリオの中で、基地局及びユーザ機器の両方が、CSFB能力を有し、ユーザ機器が、基地局Bへ現在接続されており、アイドルモードは、ユーザ機器がネットワーク側へRRC接続を確立していない場合のモードである。図4A及び図4Bに示されるように、方法が以下を含む。
【００５６】
401：ユーザ機器が、2G／3Gネットワーク内で受信された基地局の信号強度を検出し、2G／3G基地局の規格及び周波数を取得し、2G／3G基地局の信号強度が事前設定された閾値よりも大きい。
【００５７】
特に、信号強度は、2G／3G基地局に相当するRSCP（Received Signal Code Power）であることができる。したがって、事前設定された閾値が、RSCP閾値であることができる。ユーザ機器は、2G／3Gネットワーク内でユーザ機器によって受信されるすべての基地局の信号強度を検出し、その伝送電力値が伝送電力閾値よりも大きい2G／3G基地局を取得し、2G／3G基地局の規格及び周波数を取得する。
【００５８】
ユーザ機器によって、2G／3G基地局の規格及び周波数を取得するプロセスは、2G／3G基地局の同報通信制御チャンネルをユーザ機器によって検出するステップ、及び2G／3G基地局の同報通信制御チャンネルを検出する後、2G／3G基地局が同報通信制御チャンネルにロードする規格及び周波数を受信するステップであることができる。
【００５９】
2G／3G基地局に相当し、ユーザ機器によって受信されるRSCPが高ければ高いほど、ユーザ機器が基地局へ切り替え、音声サービスを可能にする後に、音声通話の通話品質がより高いことを示す。したがって、信号強度が事前設定された閾値よりも大きい基地局を取得することによって、ユーザ機器が基地局へ切り替える後の通話品質が保証され得る。
【００６０】
本発明のこの実施形態の中で提供されるネットワークシナリオに関連して、基地局Aの信号強度が事前設定された閾値よりも大きく、そのとき、受信された基地局Aの信号強度を検出後、ユーザ機器が基地局Aを2G／3G基地局として取得することが想定される。
【００６１】
任意選択で、2G／3G基地局について、信号強度が一時的に増加する場合が発生する可能性がある。したがって、2G／3G基地局の信号強度をユーザ機器によって検出するステップの信頼性を保証するために、2G／3Gネットワーク内の受信された2G／3G基地局の信号強度が、事前設定されたサイクルごとに検出されることができ、事前設定された時間内で2G／3G基地局の信号強度の平均値が取得されることができ、次いで、その信号強度の平均値が事前設定された閾値よりも大きい、2G／3G基地局が取得され得る。
【００６２】
402：ユーザ機器が、2G／3G基地局に相当する規格及び周波数に従って、2G／3G基地局候補セットを取得する。
【００６３】
特に、ユーザ機器が、2G／3G基地局に相当する規格及び周波数に従って、2G／3G基地局候補セットを生成し、又はユーザ機器が、2G／3G基地局に相当する規格及び周波数をサーバへ送信し、サーバが、2G／3G基地局に相当する規格及び周波数に従って、2G／3G基地局候補セットを生成し、次いで、ユーザ機器が、サーバによって送信される2G／3G基地局候補セットを受信する。
【００６４】
2G／3G基地局候補セットが、2G／3G基地局の名前、2G／3G基地局に相当する規格及び周波数を含むリストであることができる。2G／3G基地局候補セットの中に含まれる2G／3G基地局の量が3である実施例を使用することによって、説明が提供され、リストが表1の中に示されることができる。
【００６５】
【表１】
0006281025.tif 000002
【００６６】
任意選択で、リストは、2G／3G基地局の信号強度を更に含むことができる。
【００６７】
前述のリストとして表されることに加えて、2G／3G基地局候補セットが、本明細書で限定されない、他の形態として更に表されることができる。
【００６８】
ステップ401及びステップ402が2G／3G基地局候補セットを取得するプロセスであり、ユーザ機器が、2G／3G基地局候補セットを更新するために、各事前設定された時間間隔後に2G／3G基地局候補セットを取得するできることは注目すべきである。
【００６９】
403：LTEネットワーク内で音声サービスを起動する場合、ユーザ機器が、CSFB切替え要求メッセージをLTE基地局へ送信し、LTE基地局が、ユーザ機器へ現在接続されている基地局であり、LTE基地局がLTEネットワークに所属する。
【００７０】
特に、LTE基地局は、CSFB能力を有し、したがって、CSFB切替え要求メッセージが、ユーザ機器によってLTE基地局へ送信される添付要求メッセージであることができ、添付要求メッセージが、ユーザ機器のCSFB能力、及びユーザ機器が切り替えるべきターゲット2G／3G基地局の規格及び周波数を含み、ユーザ機器のCSFB能力が、ユーザ機器がCSFBを支持することをLTE基地局へ示すために使用され、その結果、CSFB切替え要求メッセージを受信後、基地局がCSFB手続きをトリガすることができる。
【００７１】
ターゲット2G／3G基地局の規格及び周波数をユーザ機器によって取得するプロセスが、
音声サービスを起動する前に、LTE基地局によって送信されたシステムメッセージを受信するステップであって、システムメッセージが、ユーザ機器への接続の記録、並びにユーザ機器の現在の位置でのすべての2G／3G基地局の規格及び周波数を備え、接続の記録が、ユーザ機器が接続したすべての2G／3G基地局の規格及び周波数を備える、受信するステップと、
接続の記録がユーザ機器の現在の位置での2G／3G基地局を備えるかどうかをユーザ機器によって決定するステップとであることができる。
【００７２】
特に、ユーザ機器が、現在の位置でのすべての2G／3G基地局の規格及び周波数と、ユーザ機器が接続されたすべての2G／3G基地局の規格及び周波数との間で一致させるステップを実施し、一致させるステップの結果に従って、ユーザ機器の現在の位置でのすべての2G／3G基地局が、ユーザ機器が接続された2G／3G基地局を含むかどうかを決定し、
接続の記録がユーザ機器の現在の位置での2G／3G基地局を備える場合、ユーザ機器が現在の位置で接続した2G／3G基地局がターゲット2G／3G基地局であることを決定し、又は
接続の記録がユーザ機器の現在の位置での2G／3G基地局を備えない場合、ユーザ機器が、現在の位置ですべての2G／3G基地局の信号強度の降順に、すべての2G／3G基地局の中で最大信号強度を含む2G／3G基地局が、ターゲット2G／3G基地局であることを決定する。
【００７３】
測定の遅延及びエラーに起因して、LTEの中に記憶されるユーザ機器の現在の位置が、ユーザ機器の実際の現在の位置とは異なる可能性があり、したがって、2G／3G基地局候補セットがターゲット2G／3G基地局を含まない可能性がある。加えて、ユーザ機器の現在の位置が、LTEの中に記憶されており、ユーザ機器が接続された2G／3G基地局を含まない可能性があり、したがって、2G／3G基地局候補セットが、ターゲット2G／3G基地局もまた含まない可能性がある。
【００７４】
ユーザ機器が、2G／3G基地局へCSFB切替え要求メッセージを送信する前に、CSFBが、ユーザ機器のNAS（Non−Access Stratum）に用意される必要が更にあり、CSFBが、ユーザ機器のNAS層に用意される特定の方法は本明細書で限定されない。
【００７５】
404：CSFB切替え要求メッセージを受信後、LTE基地局が、ターゲット2G／3G基地局の規格及び周波数をユーザ機器へ送信する。
【００７６】
特に、ターゲット2G／3G基地局の規格及び周波数を含む再命令要求メッセージをユーザ機器へ送信することによって、LTE基地局が、ターゲット2G／3G基地局の規格及び周波数をユーザ機器へ送信する。
【００７７】
ターゲット2G／3G基地局の規格及び周波数をユーザ機器へ送信する前に、LTE基地局は、CSFB切替え要求メッセージの中で、ユーザ機器のCSFB能力に従って、CSFB手続きが起動され得るかどうかを決定する必要が更にある。CSFB手続きが起動され得ることを決定する後、LTE基地局は、ターゲット2G／3G基地局の規格及び周波数をユーザ機器へ送信するステップを実施する。
【００７８】
任意選択で、再命令要求メッセージは認証情報を更に含み、LTE基地局が再命令要求メッセージ上にセキュリティ設定を実施する後、認証情報が生成され、特定のセキュリティ設定方法は、本発明のこの実施形態の中で限定されない。
【００７９】
405：ユーザ機器が、LTE基地局によってユーザ機器へ送信されるターゲット2G／3G基地局の規格及び周波数を受信する。
【００８０】
特に、ターゲット2G／3G基地局の規格及び周波数を含む再命令要求メッセージをユーザ機器へ送信することによって、LTE基地局が、ターゲット2G／3G基地局の規格及び周波数をユーザ機器へ送信する場合、再命令要求メッセージを受信後、ユーザ機器は、再命令要求メッセージからターゲット2G／3G基地局の規格及び周波数を取得する。
【００８１】
任意選択で、再命令要求メッセージが認証情報を更に含む場合、再命令要求メッセージを受信後、ユーザ機器は、認証情報に従って認証操作を最初に実施し、次いで、認証が成功する後、再命令要求メッセージからターゲット2G／3G基地局の規格及び周波数を取得する。特定の認証操作方法は、本発明のこの実施形態の中で限定されない。
【００８２】
406：ユーザ機器が、ターゲット2G／3G基地局の規格及び周波数に従って、2G／3G基地局候補セットがターゲット2G／3G基地局を含むかどうかを決定し、2G／3G基地局候補セットがターゲット2G／3G基地局を含む場合、ステップ407を実施し、又は2G／3G基地局候補セットがターゲット2G／3G基地局を含まない場合、ステップ408を実施する。
【００８３】
特に、ユーザ機器が、ターゲット2G／3G基地局の規格及び周波数と、2G／3G基地局候補セットの中の2G／3G基地局の規格及び周波数との間で一致させるステップを実施することができて、2G／3G基地局候補セットが、ターゲット2G／3G基地局を含むかどうかを決定し、
ユーザ機器が、決定アルゴリズムを更に事前設定することができ、ターゲット2G／3G基地局の規格及び周波数、並びに2G／3G基地局の規格及び周波数を決定アルゴリズムの中に入力し、出力結果を取得し、その出力結果に従って、2G／3G基地局候補セットがターゲット2G／3G基地局を含むかどうかを決定することができ、ユーザ機器が、別の方法で、2G／3G基地局候補セットが、本明細書で限定されないターゲット2G／3G基地局を含むかどうかを更に決定することができる。
【００８４】
407：ユーザ機器が、ターゲット2G／3G基地局の規格及び周波数に従って、LTE基地局からターゲット2G／3G基地局へ切り替え、手続きが終了する。
【００８５】
特に、ユーザ機器が、ターゲット2G／3G基地局の規格及び周波数の中の周波数に従って、ターゲット2G／3G基地局を最初に決定し、ターゲット2G／3G基地局を決定後、ターゲット2G／3G基地局の規格に従って、ターゲット2G／3G基地局へ接続要求を送信し、ターゲット2G／3G基地局が、接続要求を受信し、ユーザ機器がターゲット2G／3G基地局への接続が許可されることを決定後、ユーザ機器へ接続を確立する。
【００８６】
408：ユーザ機器は、LTE基地局へ再送要求メッセージを送信し、再送要求メッセージを受信後、LTE基地局はターゲット2G／3G基地局を再決定し、再決定されたターゲット2G／3G基地局の規格及び周波数をユーザ機器へ送信する。
【００８７】
特に、再送要求メッセージは、ターゲット2G／3G基地局の規格及び周波数を含まない添付要求メッセージであることができ、2G／3G基地局候補セットがターゲット2G／3G基地局を含まないことをLTE基地局に示すために使用される。
【００８８】
2G／3G基地局候補セット内の2G／3G基地局の信号強度がすべて事前設定された閾値よりも大きく、したがって、2G／3G基地局候補セットがターゲット2G／3G基地局を含まない場合、ターゲット2G／3G基地局の信号強度が事前設定された閾値未満であり、その結果、ユーザ機器は、ターゲット2G／3G基地局を検出することができず、又はユーザ機器は、ターゲット2G／3G基地局を検出できるが、しかし、ターゲット2G／3G基地局の信号強度が事前設定された閾値未満であるので、ターゲット2G／3G基地局は利用できないことを示す。したがって、2G／3G基地局候補セットがターゲット2G／3G基地局を含まない場合、ユーザ機器は、LTE基地局へ再送要求メッセージを送信する必要があり、その結果、LTE基地局はターゲット2G／3G基地局を再決定し、再決定されたターゲット2G／3G基地局の規格及び周波数をユーザ機器へ送信する。
【００８９】
LTE基地局によって、ターゲット2G／3G基地局を再決定するプロセスは、LTE基地局によって、ユーザ機器の現在の位置ですべての2G／3G基地局の信号強度の降順に、すべての2G／3G基地局内の最大信号強度を含む2G／3G基地局が、再決定されたターゲット2G／3G基地局であることを決定するステップであることができる。
【００９０】
LTE基地局が、ターゲット2G／3G基地局を再決定する後、LTE基地局が、ユーザ機器へ再命令要求を送信し、再命令要求は、再決定されたターゲット2G／3G基地局の規格及び周波数を含む。
【００９１】
409：ユーザ機器が、2G／3G基地局候補セットが再決定されたターゲット2G／3G基地局を含むかどうかを決定し、2G／3G基地局候補セットが再決定されたターゲット2G／3G基地局を含まない場合、ユーザ機器は、LTE基地局へ再送要求メッセージを送信するステップを実施し続ける。
【００９２】
ユーザ機器が、ターゲット2G／3G基地局を検出することができず、ユーザ機器が、2G／3G基地局候補セットの中の2G／3G基地局を検出することができ、したがって、ステップ405からステップ408までのプロセスを使用することによって、ユーザ機器が、LTE基地局によって送信されたターゲット2G／3G基地局を検出することができることが保証され得る。
【００９３】
任意選択で、より優れた通話品質を取得するために、ステップ410が更に実施され得る。
【００９４】
410：ユーザ機器が、2G／3G基地局候補セットの中の信号強度の降順に、2G／3G基地局候補セットの中の最大信号強度を含む2G／3G基地局を取得する。
【００９５】
特に、ユーザ機器が、事前に2G／3G基地局候補セットの中の2G／3G基地局の信号強度を検出した場合、それによって、ユーザ機器は、事前に検出された2G／3G基地局の信号強度の降順に、2G／3G基地局候補セットの中の最大信号強度を含む2G／3G基地局を取得することができる。
【００９６】
411：ユーザ機器が、2G／3G基地局がターゲット2G／3G基地局であるかどうかを決定し、2G／3G基地局がターゲット2G／3G基地局である場合、ステップ412を実施し、又は2G／3G基地局がターゲット2G／3G基地局でない場合、ステップ413を実施する。
【００９７】
特に、ユーザ機器が、2G／3G基地局の規格及び周波数と、ターゲット2G／3G基地局の規格及び周波数との間で一致させるステップを実施し、一致させるステップの結果に従って、2G／3G基地局がターゲット2G／3G基地局かどうかを決定することができる。
【００９８】
前述の方法に加えて、ユーザ機器が、決定アルゴリズムを更に事前設定することができ、次いで、2G／3G基地局の規格及び周波数、並びにターゲット2G／3G基地局の規格及び周波数を決定アルゴリズムの中に入力して、出力結果を取得し、その出力結果に従って、2G／3G基地局がターゲット2G／3G基地局を含むかどうかを決定する。
【００９９】
ユーザ機器が、別の方法で、2G／3G基地局が、本明細書で限定されないターゲット2G／3G基地局であるかどうかを更に決定することができる。
【０１００】
412：ユーザ機器が、ターゲット2G／3G基地局に接続し続け、手続きが終了する。
【０１０１】
413：ユーザ機器が、ターゲット2G／3G基地局から2G／3G基地局へ切り替え、手続きが終了する。
【０１０２】
特に、ユーザ機器によって、ターゲット2G／3G基地局から2G／3G基地局へ切り替えるプロセスは、ユーザ機器によって、ステップ406の中でLTE基地局からターゲット2G／3G基地局へ切り替えるプロセスと同様であり、詳細は本明細書で説明されない。
【０１０３】
ステップ403の前に、ユーザ機器が、アイドルモードにあり、LTE基地局と信号交換を含まない。しかし、ステップ403の中で、及びステップ403の後に、音声サービスを起動するために、基地局はユーザ機器へRRC接続を確立し、この場合、LTE基地局及びユーザ機器が、図5に示されるように信号メッセージを使用することによって互いに相互作用することができ、LTE基地局及びユーザ機器が、信号メッセージを使用することによって互いに相互作用することが、LTE基地局とユーザ機器との間の独立した専用制御チャンネルを使用することによって、実施され得る。
【０１０４】
本発明のこの実施形態の中で列挙される信号メッセージが、実施の中のルーチンに過ぎず、実際の応用では、本発明のこの実施形態の中で限定されない他の信号メッセージもまた存在する可能性があるということに留意すべきである。
【０１０５】
本発明のこの実施形態が、回線交換フォールバック切替え方法を提供する。ユーザが切り替えるべきターゲット2G／3G基地局が、事前に取得された2G／3G基地局候補セット内の基地局であることが決定されて、その結果、ターゲット2G／3G基地局の検出が繰り返されることが回避され、音声サービスが起動される場合の遅延が低減され、音声サービスの信頼性が改善される。更に、切り替えられるべきターゲット2G／3G基地局が、2G／3G基地局候補セットの中の最大信号強度を含む基地局であることが決定され、その結果、音声サービスを起動する後、より優れた通話品質が取得され得る。
【０１０６】
実施形態4は、本発明の実施形態の中で提供される回線交換フォールバック切替え方法である。切替え方法が適用されるネットワークシナリオは、前述の実施形態の中のシナリオと同様である。前述の実施形態とは異なる点は、ユーザ機器が2G／3Gネットワークの中で音声サービスを終了する後に、方法が適用されることである。音声サービスが終了される後、ユーザ機器が非アイドルモードにあることができ、ユーザ機器はユーザ機器をアイドルモードへ切り替えることができず、その結果、ユーザ機器が、以前に接続されたLTEネットワークにスイッチバックすることができず、それによって、ユーザ機器がネットワークから接続を断たれる原因になる。したがって、音声サービスが終了される後、方法が適用されて、以前に接続されたLTEネットワークへスイッチバックするようにユーザ機器を切り替え、アイドルモードは、ユーザ機器がネットワーク側へRRC接続を確立していない場合のモードである。図6に示されるように、方法は以下を含む。
【０１０７】
601：ユーザ機器がアイドルモードにあるかどうかをユーザ機器が決定する。
【０１０８】
特に、音声サービスが終了される後、ユーザ機器と現在接続されている2G／3G基地局との間にデータ伝送がやはり存在する場合、ユーザ機器が非アイドルモードにされ、したがって、ユーザ機器は、ユーザ機器と2G／3G基地局との間にデータ伝送が存在するかどうかを決定することによって、ユーザ機器がアイドルモードにあるかどうかを決定することができる。本発明のこの実施形態では、ユーザ機器がアイドルモードにあるかどうかを特に決定するステップは限定されないということに留意すべきである。
【０１０９】
602：ユーザ機器がアイドルモードにない場合、ユーザ機器は、モード切替え要求メッセージを2G／3G基地局へ送信する。
【０１１０】
特に、モード切替え要求メッセージが、ユーザ機器の装置識別子を含み、ユーザ機器の装置識別子は、ユーザ機器のIPアドレスであることができ、又はユーザ機器のMACアドレスであることができ、又は本発明のこの実施形態では、限定されない別の識別子であることができる。
【０１１１】
ユーザ機器が、非アイドルモードからアイドルモードへユーザ機器を切り替えることができず、この場合は、ユーザ機器は2G／3G基地局へ接続され、したがって、ユーザ機器は、モード切替え要求メッセージを2G／3G基地局へ送信する必要があり、2G／3G基地局はモード切替え命令をユーザに送信して、ユーザにアイドルモードへ切り替えさせる。
【０１１２】
603：モード切替え要求メッセージを受信後、2G／3G基地局がモード切替え命令をユーザ機器へ送信し、2G／3G基地局が、ユーザ機器へ現在接続されている基地局であり、2G／3G基地局が2G／3Gネットワークに所属する。
【０１１３】
特に、2G／3G基地局が、モード切替え要求メッセージの中の装置識別子に従って、モード切替え命令を装置識別子によって示されるユーザ機器へ送信し、加えて、モード切替え命令をユーザ機器へ送信後、2G／3G基地局は、ユーザ機器へRRC接続を停止し、ユーザにアイドルモードへ切り替えるように命令する。
【０１１４】
任意選択で、データ伝送の中断によって引き起こされるデータ損失を防止するために、2G／3G基地局とユーザ機器との間にデータ伝送を停止する前に、2G／3G基地局がデータ伝送プロセスを保存することができ、その次のプロセスで、データ伝送プロセスをユーザ機器が切り替えるべきターゲットLTE基地局へ送信し、その結果、ターゲットLTE基地局へ切り替え後に、ユーザ機器は、データ伝送プロセスに従って、ターゲットLTE基地局によってデータ伝送を実施し続けることができる。
【０１１５】
604：ユーザ機器が、モード切替え命令に従ってアイドルモードへ切り替える。
【０１１６】
特に、モード切替え命令を受信後、ユーザ機器は、モード切替え命令に応答し、ユーザ機器と2G／3G基地局との間のRRC接続を停止して、ユーザ機器のモードをアイドルモードへ切り替える。
【０１１７】
任意選択で、データ損失を防止するために、2G／3G基地局がデータ伝送プロセスを保存することに加えて、アイドルモードへ切り替える前に、ユーザ機器もまたデータ伝送プロセスを記憶することができ、その結果、ターゲットLTE基地局へ切り替える後、ユーザ機器はデータ伝送プロセスに従って、ターゲットLTE基地局によってデータ伝送を実施し続けることができる。
【０１１８】
ユーザ機器がアイドルモードにある場合、ステップ501の後に、ステップ605が直接実施されるということに留意すべきである。
【０１１９】
ユーザ機器がアイドルモードにある場合に限り、ユーザ機器はLTE基地局候補セットを取得することができ、したがって、ステップ601からステップ604まで使用することによって、ユーザ機器はアイドルモードへ切り替えられることができ、その結果、ユーザ機器がアイドルモードにある場合、ユーザ機器はLTE基地局候補セットを取得することができる。
【０１２０】
605：ユーザ機器がアイドルモードにある場合、ユーザ機器は、LTEネットワーク内で受信された基地局の信号強度を検出し、LTE基地局の規格及び周波数を取得し、LTE基地局の信号強度が事前設定された閾値よりも大きい。
【０１２１】
606：ユーザ機器が、LTE基地局に相当する規格及び周波数に従って、LTE基地局候補セットを取得する。
【０１２２】
ステップ605及びステップ606の中で、LTE基地局候補セットを取得するプロセスは、前述の実施形態の中のステップ401及びステップ402の中で、2G／3G基地局候補セットを取得するプロセスと同様であり、本明細書で詳細は説明されない。
【０１２３】
607：ユーザ機器が、LTE基地局候補セットの中の信号強度の降順に、LTE基地局候補セットの中の最大信号強度を含むLTE基地局がターゲットLTE基地局であることを決定する。
【０１２４】
最大信号強度を含むLTE基地局を取得するステップ607は、前述の実施形態の中のステップ409と同様であり、本明細書で詳細は説明されない。
【０１２５】
ステップ605からステップ607は、ユーザ機器が切り替えるべきターゲットLTE基地局を取得するプロセスである。ユーザ機器によって受信される信号強度が高ければ高いほど、ユーザ機器が基地局へ切り替え、音声サービスを可能にする後に、音声通話の通話品質がより高いことを示す。したがって、最大信号強度を含むLTE基地局がターゲットLTE基地局であることを決定することによって、ユーザ機器が基地局へ切り替える後の通話品質が保証され得る。
【０１２６】
608：ユーザ機器が、LTE基地局候補セットから、切り替えられるべきターゲットLTE基地局を取得し、ターゲットLTE基地局の規格及び周波数に従って、2G／3G基地局からターゲットLTE基地局へ切り替える。
【０１２７】
特に、ユーザ機器によって、2G／3G基地局からターゲットLTE基地局へ切り替えるプロセスは、ユーザ機器によって、前述の実施形態の中のステップ406の中でLTE基地局からターゲット2G／3G基地局へ切り替えるプロセスと同様であり、詳細は本明細書で説明されない。
【０１２８】
この実施形態では、ユーザ機器がアイドルモードへ切り替える前に、信号メッセージを使用することによる、ユーザ機器と2G／3G基地局との間の相互作用が、主に、ユーザ機器がモード切替え要求メッセージを2G／3G基地局へ送信し、2G／3G基地局がモード切替え命令をユーザ機器へ送信することであり、信号メッセージを使用することによる相互作用が、独立した専用制御チャンネルを使用することによって実施され得るということに留意すべきである。ユーザ機器がアイドルモードへ切り替える後に、信号メッセージを使用することによる相互作用が、ユーザ機器と2G／3G基地局との間、又はユーザ機器とLTE基地局との間のどちらにも存在しない。
【０１２９】
本発明のこの実施形態の中で列挙される信号メッセージが、実施の中のルーチンに過ぎず、実際の応用では、本発明のこの実施形態の中で限定されない他の信号メッセージもまた存在する可能性がある。
【０１３０】
本発明のこの実施形態が、回線交換フォールバック切替え方法を提供する。音声サービスを終了する後、アイドルモードにないユーザ機器が、モード切替え命令をネットワーク側へ送信し、ネットワーク側が、ユーザ機器にアイドルモードへ切り替えるように命令し、その結果、ユーザ機器が、2G／3Gネットワークから以前に接続されたLTEネットワークへスイッチバックすることができ、加えて、ユーザ機器が切り替える基地局が、LTEネットワークの中で最大信号強度を含む基地局であり、したがって、ユーザ機器がLTEネットワークへスイッチバックする後、ユーザによって受信される信号の品質が保証され得る。
【０１３１】
実施形態5は、本発明の実施形態で提供されるユーザ機器7である。図7に示されるように、ユーザ機器7が、
ユーザ機器がアイドルモードにある場合、第2／第3世代移動電話通信技術仕様2G／3G基地局候補セットを取得するように構成される取得ユニットであって、2G／3G基地局候補セットが2G／3G基地局に相当する規格及び周波数を備え、2G／3G基地局が2G／3Gネットワークに所属し、2G／3G基地局の信号強度が事前設定された閾値よりも大きい、取得ユニット71と、
ユーザ機器がLTEネットワーク内で音声サービスを起動する場合、回線交換フォールバックCSFB要求メッセージをロングタームエヴォリューションLTE基地局へユーザ機器によって送信するように構成され、LTE基地局がユーザ機器に現在接続される基地局であり、LTE基地局がLTEネットワークに所属し、CSFB要求メッセージが、ターゲット2G／3G基地局の規格及び周波数を備える、送信ユニット72と、
LTE基地局によってユーザ機器へ送信されるターゲット2G／3G基地局の規格及び周波数を受信するように構成される受信ユニット73と、
ターゲット2G／3G基地局の規格及び周波数に従って、2G／3G基地局候補セットがターゲット2G／3G基地局を備えるかどうかを決定するように構成される決定ユニット74と、
2G／3G基地局候補セットがターゲット2G／3G基地局を備える場合、ターゲット2G／3G基地局の規格及び周波数に従って、LTE基地局からターゲット2G／3G基地局へ切り替えるように構成される切替えユニット75と
を備える。
【０１３２】
任意選択で、取得ユニット71が、
2G／3Gネットワーク内で受信された基地局の信号強度を検出し、2G／3G基地局の規格及び周波数を取得するように構成される第1の取得サブユニットであって、2G／3G基地局の信号強度が事前設定された閾値よりも大きい、第1の取得サブユニットと、
2G／3G基地局、並びに2G／3G基地局に相当する規格及び周波数に従って、2G／3G基地局候補セットを受信するように構成される第2の取得サブユニットと
を備える。
【０１３３】
任意選択で、
第1の取得サブユニットが、2G／3G基地局の同報通信制御チャンネルを検出することによって、2G／3G基地局が同報通信制御チャンネルにロードする規格及び周波数を受信するように特に構成され、
第2の取得サブユニットが、2G／3G基地局並びに2G／3G基地局に相当する規格及び周波数に従って、2G／3G基地局候補セットを生成するように特に構成され、又は
第2の取得サブユニット712が、
2G／3G基地局並びに2G／3G基地局に相当する規格及び周波数をサーバへ送信し、且つ
サーバによって送信される2G／3G基地局候補セットを受信するように特に構成される。
【０１３４】
任意選択で、2G／3G基地局候補セットがターゲット2G／3G基地局を備えない場合、送信ユニット72が、再送要求メッセージをLTE基地局へ送信するように更に構成され、再送要求メッセージが、LTE基地局へ、2G／3G基地局候補セットがターゲット2G／3G基地局を備えないことを表示するために使用され、
LTE基地局がターゲット2G／3G基地局を再決定し、且つ再決定されたターゲット2G／3G基地局の規格及び周波数をユーザ機器へ送信する後、決定ユニット74が、2G／3G基地局候補セットが再決定されたターゲット2G／3G基地局を備えるかどうかを決定し、且つ、2G／3G基地局候補セットが再決定されたターゲット2G／3G基地局を備えない場合、送信ユニット72をトリガして、LTE基地局へ再送要求メッセージを送信するステップを実施し続けるように更に構成される。
【０１３５】
任意選択で、
取得ユニット71が、2G／3G基地局候補セット内で信号強度の降順に、2G／3G基地局候補セット内の最大信号強度を含む2G／3G基地局を取得するように更に構成され、
切替えユニット75が、2G／3G基地局の規格及び周波数に従って、ユーザ機器を2G／3G基地局へ切り替えるように更に構成される。
【０１３６】
任意選択で、
決定ユニット74が、2G／3G基地局がターゲット2G／3G基地局であるかどうかを決定するように更に構成され、2G／3G基地局が、ターゲット2G／3G基地局である場合、切替えユニット75が、ターゲット2G／3G基地局へ接続し続け、又は
2G／3G基地局が、ターゲット2G／3G基地局でない場合、切替えユニット75が、ターゲット2G／3G基地局から2G／3G基地局へ切り替えるように更に構成される。
【０１３７】
任意選択で、音声サービスが起動される前に、受信ユニット73が、LTE基地局によって送信されたシステムメッセージを受信するように更に構成され、システムメッセージが、ユーザ機器への接続の記録、並びにユーザ機器の現在の位置でのすべての2G／3G基地局の規格及び周波数を備え、接続の記録が、ユーザ機器が接続したすべての2G／3G基地局の規格及び周波数を備え、
決定ユニット74が、接続の記録がユーザ機器の現在の位置での2G／3G基地局を備えるかどうかを決定するように更に構成され、
接続の記録がユーザ機器の現在の位置での2G／3G基地局を備える場合、取得ユニット71が、ユーザ機器が現在の位置で接続した2G／3G基地局がターゲット2G／3G基地局であることを決定するように更に構成され、又は
接続の記録がユーザ機器の現在の位置での2G／3G基地局を備えない場合、取得ユニット71が、現在の位置ですべての2G／3G基地局の信号強度の降順に、すべての2G／3G基地局の中で最大信号強度を含む2G／3G基地局が、ターゲット2G／3G基地局であることを決定するように更に構成される。
【０１３８】
任意選択で、決定ユニット74が、ユーザ機器がアイドルモードにあるかどうかを決定するように更に構成され、
ユーザ機器がアイドルモードにない場合、送信ユニット72が、モード切替え要求メッセージを2G／3G基地局へ送信するように構成され、その結果、モード切替え要求メッセージを受信後、2G／3G基地局が、モード切替え命令をユーザ機器へ送信し、2G／3G基地局が、ユーザ機器へ現在接続されている基地局であり、2G／3G基地局が2G／3Gネットワークに所属し、
受信ユニット73が、2G／3G基地局によって送信されるモード切替え命令を受信するように更に構成され、
切替えユニット75が、モード切替え命令に従ってアイドルモードへ切り替えるように更に構成され、
取得ユニット71が、LTE基地局候補セットを取得するように構成され、LTE基地局候補セットが、LTE基地局に相当する規格及び周波数を備え、LTE基地局がLTEネットワークに所属し、LTE基地局の信号強度が事前設定された閾値よりも大きく、
取得ユニット71が、LTE基地局候補セットから、切り替えられるべきターゲットLTE基地局を取得するように更に構成され、
切替えユニット75が、ターゲットLTE基地局の規格及び周波数に従って、2G／3G基地局からターゲットLTE基地局へ切り替えるように更に構成される。
【０１３９】
任意選択で、第1の取得サブユニットが、LTEネットワーク内で受信された基地局の信号強度を検出し、LTE基地局の規格及び周波数を取得するように更に構成され、LTE基地局の信号強度が事前設定された閾値よりも大きく、
第2の取得サブユニットが、LTE基地局に従ってLTE基地局候補セット、並びにLTE基地局に相当する規格及び周波数を受信するように更に構成される。
【０１４０】
任意選択で、第1の取得サブユニットが、LTE基地局の同報通信制御チャンネルを検出することによって、LTE基地局が同報通信制御チャンネルにロードする規格及び周波数を受信するように特に構成され、
第2の取得サブユニットが、LTE基地局、並びにLTE基地局に相当する規格及び周波数に従って、LTE基地局候補セットを生成するように特に構成され、又は
第2の取得サブユニットが、
LTE基地局並びにLTE基地局に相当する規格及び周波数をサーバへ送信し、且つ
サーバによって送信される2G／3G基地局候補セットを受信するように特に構成される。
【０１４１】
任意選択で、第3の取得サブユニットが、LTE基地局候補セット内の信号強度の降順に、LTE基地局候補セット内の最大信号強度を含むLTE基地局がターゲットLTE基地局であることを決定するように更に構成される。
【０１４２】
本発明のこの実施形態が、切替え方法を提供する。ユーザ機器によって、音声サービスを終了する後、アイドルモードにないユーザ機器が、モード切替え命令をネットワーク側へ送信し、ネットワーク側が、ユーザ機器にアイドルモードへ切り替えるように命令し、その結果、ユーザ機器が、2G／3Gネットワークから以前に接続されたLTEネットワークへスイッチバックすることができる。
【０１４３】
実施形態7は、本発明の実施形態で提供されるユーザ機器8である。図8を参照すると、ユーザ機器8が、伝送ユニット81、受信ユニット82、メモリ83、並びに伝送ユニット81、受信ユニット82及びメモリ83に別々に接続されるプロセッサ84を含む。確実に、ユーザ機器が、アンテナ、ベースバンド処理ユニット、無線中間周波数処理ユニット及び入力／出力装置などの一般部品を更に含むことができるが、本明細書の本発明のこの実施形態では、限定されない。
【０１４４】
メモリ83が1組のプログラムコード830を記憶し、プロセッサ84が、メモリ83の中に記憶されたプログラムコード830を呼び出すように構成されて、以下の操作、
ユーザ機器がアイドルモードにある場合、第2／第3世代移動電話通信技術仕様2G／3G基地局候補セットを取得するステップであって、2G／3G基地局候補セットが2G／3G基地局に相当する規格及び周波数を備え、2G／3G基地局が2G／3Gネットワークに所属し、2G／3G基地局の信号強度が事前設定された閾値よりも大きい、取得するステップと、
ユーザ機器がLTEネットワーク内で音声サービスを起動する場合、回線交換フォールバックCSFB要求メッセージをロングタームエヴォリューションLTE基地局へユーザ機器によって送信するステップであって、LTE基地局がユーザ機器に現在接続される基地局であり、LTE基地局がLTEネットワークに所属し、CSFB要求メッセージが、ターゲット2G／3G基地局の規格及び周波数を備える、送信するステップと、
LTE基地局によってユーザ機器へ送信されるターゲット2G／3G基地局の規格及び周波数をユーザ機器によって受信するステップと、
ターゲット2G／3G基地局の規格及び周波数に従って、2G／3G基地局候補セットがターゲット2G／3G基地局を備えるかどうかをユーザ機器によって決定するステップと、
2G／3G基地局候補セットがターゲット2G／3G基地局を備える場合、ターゲット2G／3G基地局の規格及び周波数に従って、LTE基地局からターゲット2G／3G基地局へユーザ機器によって切り替えるステップと
を実施する。
【０１４５】
任意選択で、メモリ83が、1組のプログラムコードを830記憶し、プロセッサ84が、メモリ83内に記憶されたプログラムコード830を呼び出すように構成されて、以下の操作、
2G／3Gネットワーク内で受信された基地局の信号強度をユーザ機器によって検出するステップ、及び2G／3G基地局の規格及び周波数を取得するステップであって、2G／3G基地局の信号強度が事前設定された閾値よりも大きい、ステップと、
2G／3G基地局並びに2G／3G基地局に相当する規格及び周波数に従って、2G／3G基地局候補セットをユーザ機器によって受信するステップと
を更に実施する。
【０１４６】
任意選択で、メモリ83が、1組のプログラムコード830を記憶し、プロセッサ84が、メモリ83内に記憶されたプログラムコード830を呼び出すように構成されて、以下の操作、
2G／3G基地局の同報通信制御チャンネルを検出することによって、2G／3G基地局が同報通信制御チャンネルにロードする規格及び周波数をユーザ機器によって受信するステップと、
2G／3G基地局並びに2G／3G基地局に相当する規格及び周波数に従って、2G／3G基地局候補セットをユーザ機器によって生成するステップ、又は
2G／3G基地局並びに2G／3G基地局に相当する規格及び周波数をサーバへユーザ機器によって送信するステップと、
サーバによって送信される2G／3G基地局候補セットをユーザ機器によって受信するステップと
を更に実施する。
【０１４７】
任意選択で、メモリ83が、1組のプログラムコード830を記憶し、プロセッサ84が、メモリ83内に記憶されたプログラムコード830を呼び出すように構成されて、以下の操作、
2G／3G基地局候補セットがターゲット2G／3G基地局を備えない場合、再送要求メッセージをLTE基地局へユーザ機器によって送信するステップであって、再送要求メッセージが、2G／3G基地局候補セットがターゲット2G／3G基地局を備えないことをLTE基地局へ表示するために使用される、送信するステップと、
LTE基地局がターゲット2G／3G基地局を再決定し、且つ再決定されたターゲット2G／3G基地局の規格及び周波数をユーザ機器へ送信する後、2G／3G基地局候補セットが再決定されたターゲット2G／3G基地局を備えるかどうかをユーザ機器によって決定するステップ、及び、2G／3G基地局候補セットが再決定されたターゲット2G／3G基地局を備えない場合、LTE基地局へ再送要求メッセージを送信するステップをユーザ機器によって実施し続けるステップと
を更に実施する。
【０１４８】
任意選択で、メモリ83が、1組のプログラムコード830を記憶し、プロセッサ84が、メモリ83内に記憶されたプログラムコード830を呼び出すように構成されて、以下の操作、
2G／3G基地局候補セット内で信号強度の降順に、2G／3G基地局候補セット内の最大信号強度を含む2G／3G基地局をユーザ機器によって取得するステップと、
2G／3G基地局の規格及び周波数に従って、ユーザ機器を2G／3G基地局へユーザ機器によって切り替えるステップと
を更に実施する。
【０１４９】
任意選択で、メモリ83が、1組のプログラムコード830を記憶し、プロセッサ84が、メモリ83内に記憶されたプログラムコード830を呼び出すように構成されて、以下の操作、
2G／3G基地局がターゲット2G／3G基地局であるかどうかをユーザ機器によって決定するステップ、及び2G／3G基地局がターゲット2G／3G基地局である場合、ターゲット2G／3G基地局へユーザ機器によって接続し続けるステップ、又は
2G／3G基地局がターゲット2G／3G基地局でない場合、ターゲット2G／3G基地局から2G／3G基地局へユーザ機器によって切り替えるステップと
を実施する。
【０１５０】
任意選択で、メモリ83が、1組のプログラムコード830を記憶し、プロセッサ84が、メモリ83内に記憶されたプログラムコード830を呼び出すように構成されて、以下の操作、
音声サービスを起動する前に、LTE基地局によって送信されたシステムメッセージをユーザ機器によって受信するステップであって、システムメッセージが、ユーザ機器への接続の記録、並びにユーザ機器の現在の位置でのすべての2G／3G基地局の規格及び周波数を備え、接続の記録が、ユーザ機器が接続したすべての2G／3G基地局の規格及び周波数を備える、受信するステップと、
接続の記録がユーザ機器の現在の位置での2G／3G基地局を備えるかどうかをユーザ機器によって決定するステップと、
接続の記録がユーザ機器の現在の位置での2G／3G基地局を備える場合、ユーザ機器が現在の位置で接続した2G／3G基地局がターゲット2G／3G基地局であることをユーザ機器によって決定するステップ、又は
接続の記録がユーザ機器の現在の位置での2G／3G基地局を備えない場合、現在の位置ですべての2G／3G基地局の信号強度の降順に、すべての2G／3G基地局の中で最大信号強度を含む2G／3G基地局が、ターゲット2G／3G基地局であることをユーザ機器によって決定するステップと
を実施する。
【０１５１】
任意選択で、メモリ83が、1組のプログラムコード830を記憶し、プロセッサ84が、メモリ83内に記憶されたプログラムコード830を呼び出すように構成されて、以下の操作、
ユーザ機器がアイドルモードにあるかどうかをユーザ機器によって決定するステップと、
ユーザ機器がアイドルモードにない場合、モード切替え要求メッセージを2G／3G基地局へユーザ機器によって送信するステップであって、2G／3G基地局が、ユーザ機器へ現在接続されている基地局であり、2G／3G基地局が2G／3Gネットワークに所属する、送信するステップと、
2G／3G基地局によって送信されるモード切替え命令をユーザ機器によって受信するステップと、
モード切替え命令に従ってアイドルモードへユーザ機器によって切り替えるステップ、
又は、
ユーザ機器がアイドルモードにある場合、LTE基地局候補セットを取得するステップであって、LTE基地局候補セットが、LTE基地局に相当する規格及び周波数を備え、LTE基地局がLTEネットワークに所属し、LTE基地局の信号強度が事前設定された閾値よりも大きい、取得するステップと、
LTE基地局候補セットから、切り替えられるべきターゲットLTE基地局をユーザ機器によって取得するステップと、
ターゲットLTE基地局の規格及び周波数に従って、2G／3G基地局からターゲットLTE基地局へ切り替えるステップと
を実施する。
【０１５２】
任意選択で、メモリ83が、1組のプログラムコードを830記憶し、プロセッサ84が、メモリ83内に記憶されたプログラムコード830を呼び出すように構成されて、以下の操作、
LTEネットワーク内で受信された基地局の信号強度をユーザ機器によって検出するステップ、並びにLTE基地局の規格及び周波数を取得するステップであって、LTE基地局の信号強度が事前設定された閾値よりも大きい、ステップと、
LTE基地局並びにLTE基地局に相当する規格及び周波数に従って、LTE基地局候補セットをユーザ機器によって受信するステップと
を更に実施する。
【０１５３】
任意選択で、メモリ83が、1組のプログラムコード830を記憶し、プロセッサ84が、メモリ83内に記憶されたプログラムコード830を呼び出すように構成されて、以下の操作、
LTE基地局の同報通信制御チャンネルを検出することによって、LTE基地局が同報通信制御チャンネルにロードする規格及び周波数をユーザ機器によって受信するステップを含み、
LTE基地局並びにLTE基地局に相当する規格及び周波数に従って、LTE基地局候補セットをユーザ機器によって生成するステップ、又は
LTE基地局並びにLTE基地局に相当する規格及び周波数をサーバへユーザ機器によって送信するステップ、及び
サーバによって送信されるLTE基地局候補セットをユーザ機器によって受信するステップと
を実施する。
【０１５４】
任意選択で、メモリ83が、1組のプログラムコード830を記憶し、プロセッサ84が、メモリ83内に記憶されたプログラムコード830を呼び出すように構成されて、以下の操作、
LTE基地局候補セット内の信号強度の降順に、LTE基地局候補セット内の最大信号強度を含むLTE基地局がターゲットLTE基地局であることをユーザ機器によって決定するステップを実施する。
【０１５５】
本発明のこの実施形態が、ユーザ機器を提供する。ユーザ機器が、ユーザ機器が切り替えるべきターゲット2G／3G基地局が、事前に取得された2G／3G基地局候補セット内の基地局であることを決定して、その結果、ターゲット2G／3G基地局の検出が繰り返されることが回避され、音声サービスが起動される場合の遅延が低減され、音声サービスの信頼性が改善される。加えて、音声サービスを終了する後、アイドルモードにないユーザ機器が、モード切替え命令をネットワーク側へ送信し、ネットワーク側が、ユーザ機器にアイドルモードへ切り替えるように命令し、その結果、ユーザ機器が、2G／3Gネットワークから以前に接続されたLTEネットワークへスイッチバックすることができる。
【０１５６】
前述の送信ユニットは、送信機又はトランシーバであることができ、受信ユニットは、受信機又はトランシーバであることができ、送信ユニット及び受信ユニットは、互いに一体化されて、受信及び送信ユニットを形成することができ、それがハードウェアの実施におけるトランシーバであるということに留意すべきである。前述の制御ユニットは、ハードウェアの形態、基地局のプロセッサの中に埋め込まれる又は独立していることができ、あるいは、ソフトウェアの形態の中に、基地局のメモリの中に記憶されることができ、その結果、プロセッサが、前述のモジュールに相当する操作を呼び出し、実施する。プロセッサは、中央演算処理装置（CPU）、マイクロプロセッサ、シングルチップ・マイクロコンピュータなどであることができる。
【０１５７】
前述の実施形態の中で提供されるユーザ機器が、回線交換フォールバック切替えを実施する場合、前述の機能モジュールの区分は、説明のための実施例として使用されるに過ぎないということに留意すべきである。実際の応用では、前述の機能が必要に応じて、異なる機能モジュールに割り当てられることが可能であり、すなわち、機器及び装置の内部構造が、異なる機能モジュールへ分割されて、上記に記載の機能のすべて又はいくつかを完了する。加えて、前述の実施形態の中で提供されるユーザ機器が、回線交換フォールバック切替え方法の実施形態と同じ概念に基づいている。特定の実施プロセスについて、方法及び実施形態を参照されたいが、詳細は本明細書で再び説明されない。
【０１５８】
本発明の前述の実施形態のシーケンス番号は例示の目的のために過ぎず、実施形態の優先権を示すように意図されるのではない。
【０１５９】
本発明の実施形態の中で使用される用語は、特定の実施形態を説明する目的のために過ぎず、本発明を限定するように意図されるのではない。本発明の実施形態及び添付の特許請求の範囲の中で使用される単数形の「1つの（a）」、「前記（said）」及び「その（the）」という用語は、文脈の中でそうではないと明確に特定されない限り、複数形も更に含むものと意図される。本明細書で使用される用語「及び／又は（and／or）」が、1つ又は複数の関連する列挙される項目の任意の、又はすべての可能な組合せを示し、且つ含むということを理解すべきである。
【０１６０】
本発明の実施形態の中で、様々な切替えユニット及び取得ユニットが、第1及び第2などの用語を使用することによって説明され得るが、しかし、これらのユニットはこれらの用語に限定されるべきではないということを理解すべきである。これらの用語は、切替えユニット又は取得ユニットを互いから区別するためにだけ使用される。例えば、本発明の実施形態の範囲を超えない場合には、第1の取得ユニットが、第2の取得ユニットと言及されることもまた可能である。
【０１６１】
文脈に応じて、例えば、本明細書で使用される「〜の場合（if）」という語が、「〜の間（while）」又は「〜の時（when）」又は「決定に応答して（in response to determining）」又は「検出に応答して（in response to detection）」などとして説明され得る。同様に、文脈に応じて、「決定する場合」又は「検出する場合（述べられる状態又は事象を）」という語句が、「決定する場合」、又は「決定に応答して」又は「検出する場合（述べられる状態又は事象を）」又は「検出に応答して（述べられる状態又は事象を）」などのように説明され得る。
【０１６２】
当業者なら、実施形態のすべて又はいくつかのステップが、ハードウェア又はプログラム命令に関連するハードウェアであってよいことを理解することができる。プログラムは、コンピュータ可読記憶媒体の中に記憶され得る。記憶媒体は、読み取り専用メモリ、磁気ディスク又は光学ディスクを含むことができる。
【０１６３】
前述の説明は、本発明の単に例示的な実施形態に過ぎず、本発明を限定するように意図されるのではない。本発明の精神及び原則から逸脱せずに作製される任意の修正形態、均等な配置及び改良が、本発明の保護範囲内にあるべきである。
【符号の説明】
【０１６４】
7  ユーザ機器
8  ユーザ機器
71  取得ユニット
72  送信ユニット
73  受信ユニット
74  決定ユニット
75  切替えユニット
81  伝送ユニット
82  受信ユニット
83  メモリ
84  プロセッサ
712  第2の取得サブユニット
830  プログラムコード
【図１】
0006281025.tif 000003
【図２】
0006281025.tif 000004
【図３】
0006281025.tif 000005
【図４Ａ】
0006281025.tif 000006
【図４Ｂ】
0006281025.tif 000007
【図５】
0006281025.tif 000008
【図６】
0006281025.tif 000009
【図７】
0006281025.tif 000010
【図８】
0006281025.tif 000011